(57)【要約】  ビーム管理のため機構が提供される。方法が、ネットワークノードによって実施される。本方法は、ネットワークノードによってサーブされる端末デバイスのためのビーム管理プロシージャを実施することを含む。本方法は、ビーム管理プロシージャの第１の部分中に、ネットワークノードから参照信号がその中で送信される、ビームの第１のセット中のどのビーム中で参照信号が最も高い受信電力で受信されるかをビーム管理プロシージャに参加している端末デバイスの各々が識別することを可能にするように参照信号を送信することを含む。本方法は、ビーム管理プロシージャの第２の部分中に、端末デバイスによってネットワークノードからの参照信号がその中で受信される、ビームの第２のセット中のどのビーム中で参照信号が最も高い受信電力で受信されるかを端末デバイスの各々が識別することを可能にするように参照信号を送信することを含む。本方法は、ビーム管理プロシージャの第３の部分中に、ネットワークノードから参照信号がその中で送信される、ビームの第３のセット中のどのビームの場合に参照信号が最も高い受信電力で受信されるかをビーム管理プロシージャに参加している端末デバイスの各々が識別することを可能にするように参照信号を送信することを含む。ビームの第１のセット中の各それぞれのビームについて、ビームの１つのそれぞれの第３のセットがある。ビーム管理プロシージャの第３の部分は、ビームの各それぞれの第３のセットについて実施される。第２の部分は、第３の部分の前に、少なくとも、ビームのそれぞれの第３のセットのうちの１つについて実施される。【選択図】図４
2021522762.tif 000002
【特許請求の範囲】
【請求項１】
ビーム管理のための方法であって、前記方法がネットワークノード（２００）によって実施され、前記方法が、
前記ネットワークノード（２００）によってサーブされる端末デバイス（３００ａ〜３００ｆ）のためのビーム管理プロシージャを実施すること（Ｓ１０４）を含み、前記ビーム管理プロシージャを実施することは、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１０６）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信すること（Ｓ１０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１１０）と
を含み、
ビームの前記第１のセット（１４０ａ、１４０ｂ、１４０ｃ）中の各それぞれのビーム（１４０ｂ）について、ビームの１つのそれぞれの第３のセット（１４０ｂ−ａ、１４０ｂ−ｂ、１４０ｂ−ｃ）があり、前記ビーム管理プロシージャの前記第３の部分が、ビームの各それぞれの第３のセット（１４０ｂ−ａ、１４０ｂ−ｂ、１４０ｂ−ｃ）について実施され、前記第２の部分が、前記第３の部分の前に、少なくとも、ビームの前記それぞれの第３のセット（１４０ｂ−ａ、１４０ｂ−ｂ、１４０ｂ−ｃ）のうちの１つについて実施される、方法。
【請求項２】
前記ビーム管理プロシージャの前記第１の部分が、
前記ネットワークノード（２００）によってサーブされる端末デバイス（３００ａ〜３００ｆ）のほうへ、ビームの前記第１のセット（１４０ａ、１４０ｂ、１４０ｃ）中の各ビーム中で前記参照信号の１つの発生を送信すること（Ｓ１０６ａ）と、
前記端末デバイス（３００ａ〜３００ｆ）の各々から、そのそれぞれの端末デバイス（３００ａ〜３００ｆ）において最も高い受信電力で受信された、ビームの前記第１のセット（１４０ａ、１４０ｂ、１４０ｃ）中の少なくともそのビームを識別するそれぞれの第１の報告を受信すること（Ｓ１０６ｂ）と
を含む、請求項１に記載の方法。
【請求項３】
前記ビーム管理プロシージャの前記第２の部分の各発生が、
それについての少なくとも１つの第１の報告が受信されたビームの前記第１のセット（１４０ａ、１４０ｂ、１４０ｃ）中のそれらのビームのうちの１つ中で、前記参照信号の設定された数の発生を送信すること（Ｓ１０８ａ）
を含む、請求項２に記載の方法。
【請求項４】
前記ビーム管理プロシージャの前記第２の部分の１つの発生は、それについての少なくとも１つの第１の報告が受信された、ビームの前記第１のセット（１４０ａ、１４０ｂ、１４０ｃ）中のビームごとに実施され、前記ビーム管理プロシージャの前記第２の部分の各発生は、ビームの前記第１のセット（１４０ａ、１４０ｂ、１４０ｃ）中の同じビームが最も高い受信電力で受信された、前記端末デバイス（３００ａ〜３００ｆ）のうちのすべてのそれらについて実施される、請求項３に記載の方法。
【請求項５】
発生の前記設定された数が、ビームの前記第２のセット（１５０ａ、１５０ｂ、１５０ｃ）中のビームの数によって規定される、請求項３に記載の方法。
【請求項６】
ビームの前記第１のセット（１４０ａ、１４０ｂ、１４０ｃ）中の前記ビームに関して、前記ビーム管理プロシージャの前記第２の部分をどの順序で実施すべきかは、前記端末デバイス（３００ａ〜３００ｆ）のうちのいくつが、最も高い受信電力で受信されるものとしてビームの前記第１のセット（１４０ａ、１４０ｂ、１４０ｃ）中の前記ビームの各々を識別したかに依存する、請求項３に記載の方法。
【請求項７】
前記ビーム管理プロシージャの前記第３の部分の各発生が、
前記それぞれの第１の報告中で識別されているビームの前記第１のセット（１４０ａ、１４０ｂ、１４０ｃ）中のそれらのビームのうちの１つによってカバーされるビームのそのそれぞれの第３のセット（１４０ｂ−ａ、１４０ｂ−ｂ、１４０ｂ−ｃ）中の各ビーム中で、前記参照信号の１つの発生を送信すること（Ｓ１１０ａ）と、
ビームの前記第３のセット（１４０ｂ−ａ、１４０ｂ−ｂ、１４０ｂ−ｃ）中の前記ビームのうちの少なくとも１つ中で前記参照信号を受信した前記端末デバイス（３００ａ〜３００ｆ）の各々から、そのそれぞれの端末デバイス（３００ａ〜３００ｆ）において最も高い受信電力で受信された、ビームの前記第３のセット（１４０ｂ−ａ、１４０ｂ−ｂ、１４０ｂ−ｃ）中の少なくともそのビームを識別するそれぞれの第２の報告を受信すること（Ｓ１１０ｂ）と
を含む、請求項３に記載の方法。
【請求項８】
前記ビーム管理プロシージャの前記第３の部分の１つの発生が、ビームの第３のセット（１４０ａ、１４０ｂ、１４０ｃ）ごとに実施され、前記ビーム管理プロシージャの前記第３の部分の各発生は、ビームの前記第１のセット（１４０ａ、１４０ｂ、１４０ｃ）中の同じビームが最も高い受信電力で受信された、前記端末デバイス（３００ａ〜３００ｆ）のうちのすべてのそれらについて実施される、請求項７に記載の方法。
【請求項９】
前記ビーム管理プロシージャは、前記ビーム管理プロシージャの前記第３の部分の何らかの発生が実施される前に前記ビーム管理プロシージャの前記第２の部分のすべての発生が実施されるような第１の設定に従って実施される、請求項１から８のいずれか一項に記載の方法。
【請求項１０】
前記ビーム管理プロシージャは、前記ビーム管理プロシージャの前記第２の部分の各発生の後に、前記ビーム管理プロシージャの前記第３の部分の１つの発生が続くような第２の設定に従って実施される、請求項１から８のいずれか一項に記載の方法。
【請求項１１】
前記ビーム管理プロシージャを前記第１の設定に従って実施すべきなのか、前記第２の設定に従って実施すべきなのかが、仕様に従って決定される、請求項９および１０に記載の方法。
【請求項１２】
前記ビーム管理プロシージャを実施する前に、前記端末デバイス（３００ａ〜３００ｆ）に、前記ビーム管理プロシージャに関する情報を提供すること（Ｓ１０２）
をさらに含む、請求項１から１１のいずれか一項に記載の方法。
【請求項１３】
前記参照信号がチャネル状態情報参照信号（ＣＳＩ−ＲＳ）である、請求項１から１２のいずれか一項に記載の方法。
【請求項１４】
ビーム管理プロシージャに参加するための方法であって、前記方法が端末デバイス（３００ａ〜３００ｆ）によって実施され、前記方法が、
前記端末デバイス（３００ａ〜３００ｆ）をサーブするネットワークノード（２００）によるビーム管理プロシージャに参加すること（Ｓ２０４）を含み、前記ビーム管理プロシージャに参加することは、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別すること（Ｓ２０６）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別すること（Ｓ２０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力でその前記参照信号、識別すること（Ｓ２１０）であって、前記参照信号が、前記ビーム管理プロシージャの前記第２の部分中に識別された前記ビームを使用して受信される、識別すること（Ｓ２１０）と
を含む、方法。
【請求項１５】
前記ビーム管理プロシージャに参加する前に、前記ネットワークノード（２００）から、前記ビーム管理プロシージャに関する情報を取得すること（Ｓ２０２）
をさらに含む、請求項１４に記載の方法。
【請求項１６】
前記ビーム管理プロシージャの前記第１の部分が、
前記ネットワークノード（２００）から、ビームの前記第１のセット（１４０ａ、１４０ｂ、１４０ｃ）中の前記ビームのうちの少なくとも１つ中で前記参照信号の１つの発生を受信すること（Ｓ２０６ａ）と、
前記ネットワークノード（２００）に、前記端末デバイス（３００ａ〜３００ｆ）において最も高い受信電力で受信された、ビームの前記第１のセット（１４０ａ、１４０ｂ、１４０ｃ）中の少なくともそのビームを識別する第１の報告を送信すること（Ｓ２０６ｂ）と
を含む、請求項１４または１５に記載の方法。
【請求項１７】
前記ビーム管理プロシージャの前記第２の部分は、
前記第１の報告中で識別されたビームの前記第１のセット（１４０ａ、１４０ｂ、１４０ｃ）中のそれらのビーム中で前記ネットワークノード（２００）によって送信される、前記参照信号の設定された数の発生を受信すること（Ｓ２０８ａ）であって、１つのそれぞれの発生が、前記端末デバイス（３００ａ〜３００ｆ）によって、ビームの前記第２のセット（１５０ａ、１５０ｂ、１５０ｃ）中の１つのそれぞれのビーム中で受信される、前記参照信号の設定された数の発生を受信すること（Ｓ２０８ａ）
を含む、請求項１６に記載の方法。
【請求項１８】
前記ビーム管理プロシージャの前記第３の部分が、
前記ネットワークノード（２００）から、前記第１の報告中で識別されているビームの前記第１のセット（１４０ａ、１４０ｂ、１４０ｃ）中のそれらのビームのうちの１つによってカバーされるビームのそのそれぞれの第３のセット（１４０ｂ−ａ、１４０ｂ−ｂ、１４０ｂ−ｃ）中の前記ビームのうちの少なくとも１つ中で前記参照信号の１つの発生を受信すること（Ｓ２１０ａ）と、
前記ネットワークノード（２００）に、前記端末デバイス（３００ａ〜３００ｆ）において最も高い受信電力で受信された、ビームの前記第３のセット（１４０ｂ−ａ、１４０ｂ−ｂ、１４０ｂ−ｃ）中の少なくともそのビームを識別する第２の報告を送信すること（Ｓ２１０ｂ）と
を含む、請求項１７に記載の方法。
【請求項１９】
前記参照信号がチャネル状態情報参照信号（ＣＳＩ−ＲＳ）である、請求項１４から１８のいずれか一項に記載の方法。
【請求項２０】
ビーム管理のためのネットワークノード（２００）であって、前記ネットワークノード（２００）が、処理回路（２１０）を備え、前記処理回路が、前記ネットワークノード（２００）に、
前記ネットワークノード（２００）によってサーブされる端末デバイス（３００ａ〜３００ｆ）のためのビーム管理プロシージャを実施すること
を行わせるように設定され、前記管理プロシージャを実施することは、前記ネットワークノード（２００）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信することと、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信することと、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信することと
を行うように設定されることを含み、
ビームの前記第１のセット（１４０ａ、１４０ｂ、１４０ｃ）中の各それぞれのビーム（１４０ｂ）について、ビームの１つのそれぞれの第３のセット（１４０ｂ−ａ、１４０ｂ−ｂ、１４０ｂ−ｃ）があり、前記ビーム管理プロシージャの前記第３の部分が、ビームの各それぞれの第３のセット（１４０ｂ−ａ、１４０ｂ−ｂ、１４０ｂ−ｃ）について実施され、前記第２の部分が、前記第３の部分の前に、少なくとも、ビームの前記それぞれの第３のセット（１４０ｂ−ａ、１４０ｂ−ｂ、１４０ｂ−ｃ）のうちの１つについて実施される、ネットワークノード（２００）。
【請求項２１】
ビーム管理のためのネットワークノード（２００）であって、前記ネットワークノード（２００）は、
前記ネットワークノード（２００）によってサーブされる端末デバイス（３００ａ〜３００ｆ）のためのビーム管理プロシージャを実施するように設定されたビーム管理モジュール（２１０ｂ）と、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信するように設定された送信モジュール（２１０ｃ）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信するように設定された送信モジュール（２１０ｆ）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信するように設定された送信モジュール（２１０ｈ）と
を備え、
ビームの前記第１のセット（１４０ａ、１４０ｂ、１４０ｃ）中の各それぞれのビーム（１４０ｂ）について、ビームの１つのそれぞれの第３のセット（１４０ｂ−ａ、１４０ｂ−ｂ、１４０ｂ−ｃ）があり、前記ビーム管理プロシージャの前記第３の部分が、ビームの各それぞれの第３のセット（１４０ｂ−ａ、１４０ｂ−ｂ、１４０ｂ−ｃ）について実施され、前記第２の部分が、前記第３の部分の前に、少なくとも、ビームの前記それぞれの第３のセット（１４０ｂ−ａ、１４０ｂ−ｂ、１４０ｂ−ｃ）のうちの１つについて実施される、ネットワークノード（２００）。
【請求項２２】
請求項２から１３のいずれか一項に記載の方法を実施するようにさらに設定された、請求項２０または２１に記載のネットワークノード（２００）。
【請求項２３】
ビーム管理プロシージャに参加するための端末デバイス（３００ａ）であって、前記端末デバイス（３００ａ）が、処理回路（３１０）を備え、前記処理回路が、前記端末デバイス（３００ａ）に、
前記端末デバイス（３００ａ〜３００ｆ）をサーブするネットワークノード（２００）によるビーム管理プロシージャに参加することを行わせるように設定され、前記ビーム管理プロシージャに参加することは、前記端末デバイス（３００ａ）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別することと、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別することと、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力でその前記参照信号、識別することであって、前記参照信号が、前記ビーム管理プロシージャの前記第２の部分中に識別された前記ビームを使用して受信される、識別することと
を行うように設定されることを含む、
端末デバイス（３００ａ）
【請求項２４】
ビーム管理プロシージャに参加するための端末デバイス（３００ａ）であって、前記端末デバイス（３００ａ）は、
前記端末デバイス（３００ａ〜３００ｆ）をサーブするネットワークノード（２００）によるビーム管理プロシージャに参加するように設定されたビーム管理モジュール（３１０ｂ）と、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別するように設定された識別モジュール（３１０ｃ）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別するように設定された識別モジュール（３１０ｆ）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力でその前記参照信号、識別することであって、前記参照信号が、前記ビーム管理プロシージャの前記第２の部分中に識別された前記ビームを使用して受信される、識別することを行うように設定された識別モジュール（３１０ｈ）と
を備える、端末デバイス（３００ａ）
【請求項２５】
請求項１５から１９のいずれか一項に記載の方法を実施するようにさらに設定された、請求項２３または２４に記載の端末デバイス（３００ａ）。
【請求項２６】
ビーム管理のためのコンピュータプログラム（１２２０ａ）であって、前記コンピュータプログラムは、ネットワークノード（２００）の処理回路（２１０）上で起動するとき、前記ネットワークノード（２００）に、
前記ネットワークノード（２００）によってサーブされる端末デバイス（３００ａ〜３００ｆ）のためのビーム管理プロシージャを実施すること（Ｓ１０４）
を行わせるコンピュータコードを備え、前記管理プロシージャを実施することは、前記ネットワークノード（２００）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１０６）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信すること（Ｓ１０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１１０）と
を行うように設定されることを含み、
ビームの前記第１のセット（１４０ａ、１４０ｂ、１４０ｃ）中の各それぞれのビーム（１４０ｂ）について、ビームの１つのそれぞれの第３のセット（１４０ｂ−ａ、１４０ｂ−ｂ、１４０ｂ−ｃ）があり、前記ビーム管理プロシージャの前記第３の部分が、ビームの各それぞれの第３のセット（１４０ｂ−ａ、１４０ｂ−ｂ、１４０ｂ−ｃ）について実施され、前記第２の部分が、前記第３の部分の前に、少なくとも、ビームの前記それぞれの第３のセット（１４０ｂ−ａ、１４０ｂ−ｂ、１４０ｂ−ｃ）のうちの１つについて実施される、コンピュータプログラム（１２２０ａ）。
【請求項２７】
ビーム管理プロシージャに参加するためのコンピュータプログラム（１２２０ｂ）であって、前記コンピュータプログラムが、端末デバイス（３００ａ）の処理回路（３１０）上で起動するとき、前記端末デバイス（３００ａ）に、
前記端末デバイス（３００ａ〜３００ｆ）をサーブするネットワークノード（２００）によるビーム管理プロシージャに参加すること（Ｓ２０４）
を行わせるコンピュータコードを備え、前記ビーム管理プロシージャに参加することは、前記端末デバイス（３００ａ）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別すること（Ｓ２０６）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別すること（Ｓ２０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力でその前記参照信号、識別すること（Ｓ２１０）であって、前記参照信号が、前記ビーム管理プロシージャの前記第２の部分中に識別された前記ビームを使用して受信される、識別すること（Ｓ２１０）と
を行うように設定されることを含む、
コンピュータプログラム（１２２０ｂ）。
【請求項２８】
請求項２６および２７のうちの少なくとも一項に記載のコンピュータプログラム（１２２０ａ、１２２０ｂ）と、前記コンピュータプログラムが記憶されるコンピュータ可読記憶媒体（１２３０）とを備えるコンピュータプログラム製品（１２１０ａ、１２１０ｂ）。
【発明の詳細な説明】
【技術分野】
【０００１】
本明細書で提示される実施形態は、ビーム管理のための、方法、ネットワークノード、コンピュータプログラム、およびコンピュータプログラム製品に関する。本明細書で提示される実施形態はさらに、ビーム管理プロシージャに参加するための、方法、端末デバイス、コンピュータプログラム、およびコンピュータプログラム製品に関する。
【背景技術】
【０００２】
通信ネットワークにおいては、所与の通信プロトコル、そのパラメータ、および通信ネットワークが配置されている物理環境に対して、良好なパフォーマンスおよび容量を取得するための難題があることがある。
【０００３】
たとえば、将来世代の移動体通信ネットワークのために、多くの異なるキャリア周波数における周波数帯域が必要とされ得る。たとえば、低いそのような周波数帯域は、無線デバイスのための十分なネットワークカバレッジを達成するために必要とされ得、（たとえば、ミリメートル波長（ｍｍＷ）、すなわち、３０ＧＨｚ付近および３０ＧＨｚ超における）より高い周波数帯域は、必要とされるネットワーク容量に達するために必要とされ得る。大まかに言えば、高い周波数において無線チャネルの伝搬特性はより困難であり、十分なリンクバジェットに達するためにネットワークのネットワークノードと無線デバイスの両方におけるビームフォーミングが必要とされ得る。
【０００４】
予想される高い伝搬損失を補償するために、そのような高い周波数において、狭いビームの送信および受信方式が必要とされ得る。所与の通信リンクについて、それぞれのビームが、（ネットワークノードまたはその送信および受信ポイント（ＴＲＰ）によって表される）ネットワーク端と、（端末デバイスによって表される）端末端の両方において適用され得、これは一般に、ビームペアリンク（ＢＰＬ）と呼ばれる。ビーム管理プロシージャの１つのタスクは、ビームペアリンクを発見および維持することである。ＢＰＬ（すなわち、ネットワークノードによって使用されるビームと端末デバイスによって使用されるビームの両方）は、ビーム管理のために使用されるチャネル状態情報参照信号（ＣＳＩ−ＲＳ）または同期信号ブロック（ＳＳＢ）信号など、ダウンリンク参照信号に関する測定値を使用して、ネットワークによって発見され、監視されることが予想される。
【０００５】
ビーム管理のための参照信号は、周期的に、半永続的に、または非周期的に（イベントトリガ型）送信され得、ビーム管理のための参照信号は、複数の端末デバイス間で共有されるか、またはデバイス固有であるかのいずれかであり得る。端末デバイスが好適なネットワークノードビームを見つけるために、ネットワークノードは、異なる送信（ＴＸ）ビーム中で参照信号を送信し、端末デバイスは、参照信号受信電力（ＲＳＲＰ）など、その参照信号に対する測定を実施し、Ｎ個の最良のＴＸビームを折り返し報告する（ただし、Ｎはネットワークによって設定され得る）。さらに、所与のＴＸビーム上での参照信号の送信は、端末デバイスが好適な受信（ＲＸ）ビームを評価することを可能にするために繰り返され得る。
【０００６】
大まかに言えば、ビーム管理プロシージャは、図１に概略的に示されているように、３つのプロシージャに分割され得、３ＧＰＰ  ＴＲ３８．８０２  Ｖ１４．２．０におけるセクション６．１．６．１も参照されたい。第１の段階（Ｐ−１プロシージャ）の一般的目的は、ネットワークノード２００が、ネットワークノード２００における広い送信ビーム１４０ａ、１４０ｂ、１４０ｃを使用して、各端末デバイス３００ａ、３００ｂ、３００ｃ、３００ｄ、３００ｅ、３００ｆのほうへの粗い方向を見つけることであり、ここで、送信ビーム１４０ａ、１４０ｂ、１４０ｃの掃引は、ネットワークノード２００によってサーブされる角度セクタ全体をカバーしている。Ｐ−１プロシージャは、かなり大きいビーム幅をもつビーム１４０ａ、１４０ｂ、１４０ｃを使用することに基づき得、ここで、参照信号は、周期的に送信され得、ネットワークノード２００によってサーブされるすべての端末デバイス３００ａ〜３００ｆ間で共有される。端末デバイス３００ａ〜３００ｆは、広いビーム１５０中で参照信号を受信し、次いで、Ｎ個の最良のビームとそれらの対応するＲＳＲＰ値とをネットワークノード２００に報告する。端末デバイス３００ａ〜３００ｆからネットワークノード２００へのビーム報告は、送信された参照信号と比較して別個の時間様式で実施され得、周期的、半永続的、または非周期的のいずれかであり得る。非周期的ビーム報告を使用することによって、ビーム報告は、必要なときのみ行われ得、そのようにしてオーバーヘッドシグナリングを節約することができる。
【０００７】
第２の段階（Ｐ−２プロシージャ）の一般的目的は、Ｐ−１プロシージャにおいて見つけられた各粗い方向の周りで新しいビーム探索を実施することによって、ネットワークノード２００における送信ビームを改良することである。Ｐ−２プロシージャは、ネットワークノード２００における送信ビームを改良するために、Ｐ−１プロシージャ中に見つけられた粗い方向を中心とする狭いビーム中で送信される非周期的または半永続的参照信号を使用することに基づき得る。図１は、概略的に、改良されたビーム探索が、広いビーム１４０ｂによってカバーされる狭いビーム１４０ｂ−ａ、１４０ｂ−ｂ、１４０ｂ−ｃ中でどのように行われるかを示す。説明の目的で、図１中の狭いビーム１４０ｂ−ａ、１４０ｂ−ｂ、１４０ｂ−ｃは集合的に、広いビーム１４０ｂよりも広い角度スパンを有する。
【０００８】
第３の段階（Ｐ−３プロシージャ）の一般的目的は、ビーム管理プロシージャに参加している各端末デバイス３００ａ〜３００ｆにおける好適な受信ビームを見つけることである。Ｐ−３プロシージャ中に、ネットワークノード２００における狭い送信ビームは、Ｐ−３プロシージャの各発生ついて固定され、端末デバイス３００ａ〜３００ｆが、異なる狭い受信ビーム１５０ａ、１５０ｂ、１５０ｃを評価することを可能にする。Ｐ−３プロシージャは、端末デバイス３００ａ〜３００ｆが、その最良の狭いビームを見つけるために受信ビーム掃引を実施することができるように、Ｐ−２プロシージャにおいて端末デバイス３００ａ〜３００ｆによって報告された最良の狭いビーム中で送信される非周期的または半永続的参照信号を使用することに基づき得る。図１に示されているように、端末デバイス３００ｂ、３００ｃ、３００ｄごとにＰ−３プロシージャの１つの発生が実施され、ここで、これらの端末デバイス３００ｂ、３００ｃ、３００ｄはすべて、Ｐ−１プロシージャにおける最良のビームとして広いビーム１４０ｂを報告した。
【０００９】
Ｐ−２およびＰ−３プロシージャは、端末デバイスの移動、端末デバイスの回転、および／または無線伝搬環境の変化を追跡するために、Ｐ−１プロシージャよりも頻繁に実施され得る。Ｐ−２およびＰ−３プロシージャは、一般にデバイス固有であるが、端末デバイスが、オーバーヘッドを節約するために、同じＣＳＩ−ＲＳリソース上で測定し、そのようにしてＰ−２／Ｐ−３プロシージャを共有することが可能である。
【００１０】
図２は、狭いビーム４５０の１つのセット（ＮＢ１〜ＮＢ３２と示される実線をもつすべての円）と、広いビーム４２０の１つのセット（ＷＢ１〜ＷＢ４と示される破点線をもつすべての楕円）とをもつビーム空間４００の一例を示す。ビーム４２０、４５０は集合的に、ネットワークカバレッジ領域４１０（点線）をカバーする。この点において、現実における狭いビーム４５０ならびにより広いビーム４２０は、ネットワークカバレッジ領域４１０中のネットワークカバレッジホールを回避するためにわずかな重複を有するべきであるので、図２中の図はやや簡略化されている。広いビーム４２０は、各それぞれの端末デバイスのほうへのそれぞれの粗い方向を見つけるために、ビーム管理プロシージャの第１の段階（Ｐ−１プロシージャ）において使用され得る。選択された広いビーム内の狭いビーム４５０は、端末デバイスの各々への狭いＴＸビームと端末デバイスの各々における狭いＲＸビームとを見つけるために、ビーム管理プロシージャの第２の段階（Ｐ−２プロシージャ）および第３の段階（Ｐ−３プロシージャ）において使用され得る。この点において、Ｐ−２プロシージャのために使用されるべき狭いビームを選択するための１つの一般的なやり方は、広いビームのうち、ＲＳＲＰに関して最良であったのはどれかを決定し、次いで、その広いビームの角度カバレッジエリア内に制限される狭いビームを選択することである。例示的な例として、広いビームＷＢ１が、特定の端末デバイスのための最良の広いビームとして報告されたと仮定すると、この特定の端末デバイスのためのＰ−２プロシージャおよびＰ−３プロシージャのために使用されるビームは、狭いビームＮＢ１〜ＮＢ８であろう。
【００１１】
いくつかのネットワークノードは、ビームを生成するためにアナログビームフォーマが使用される例の場合、送信／受信のための各時間インスタンスにおいて１つのビームを使用することができるにすぎず、ビーム管理プロシージャ中にＣＳＩ−ＲＳを送信するための必要とされるオーバーヘッドは、特にネットワークノード２００によってサーブされる多くの端末デバイス３００ａ〜３００ｆがある場合、極めて大きくなることがある。
【００１２】
したがって、改善されたビーム管理が依然として必要である。
【発明の概要】
【００１３】
本明細書の実施形態の目的は、上記で言及した問題という欠点がないか、あるいは少なくとも上記の問題が緩和または低減された、効率的なビーム管理プロシージャを提供することである。
【００１４】
第１の態様によれば、ビーム管理のための方法が提示される。本方法は、ネットワークノードによって実施される。本方法は、ネットワークノードによってサーブされる端末デバイスのためのビーム管理プロシージャを実施することを含む。本方法は、ビーム管理プロシージャの第１の部分中に、ネットワークノードから参照信号がその中で送信される、ビームの第１のセット中のどのビーム中で参照信号が最も高い受信電力で受信されるかをビーム管理プロシージャに参加している端末デバイスの各々が識別することを可能にするように参照信号を送信することを含む。本方法は、ビーム管理プロシージャの第２の部分中に、端末デバイスによってネットワークノードからの参照信号がその中で受信される、ビームの第２のセット中のどのビーム中で参照信号が最も高い受信電力で受信されるかを端末デバイスの各々が識別することを可能にするように参照信号を送信することを含む。本方法は、ビーム管理プロシージャの第３の部分中に、ネットワークノードから参照信号がその中で送信される、ビームの第３のセット中のどのビームの場合に参照信号が最も高い受信電力で受信されるかをビーム管理プロシージャに参加している端末デバイスの各々が識別することを可能にするように参照信号を送信することを含む。ビームの第１のセット中の各それぞれのビームについて、ビームの１つのそれぞれの第３のセットがある。ビーム管理プロシージャの第３の部分は、ビームの各それぞれの第３のセットについて実施される。第２の部分は、第３の部分の前に、少なくとも、ビームのそれぞれの第３のセットのうちの１つについて実施される。
【００１５】
第２の態様によれば、ビーム管理のためのネットワークノードが提示される。ネットワークノードは、処理回路を備える。処理回路は、ネットワークノードに、ネットワークノードによってサーブされる端末デバイスのためのビーム管理プロシージャを実施させるように設定される。処理回路は、ネットワークノードに、ビーム管理プロシージャの第１の部分中に、ネットワークノードから参照信号がその中で送信される、ビームの第１のセット中のどのビーム中で参照信号が最も高い受信電力で受信されるかをビーム管理プロシージャに参加している端末デバイスの各々が識別することを可能にするように参照信号を送信させるように設定される。処理回路は、ネットワークノードに、ビーム管理プロシージャの第２の部分中に、端末デバイスによってネットワークノードからの参照信号がその中で受信される、ビームの第２のセット中のどのビーム中で参照信号が最も高い受信電力で受信されるかを端末デバイスの各々が識別することを可能にするように参照信号を送信させるように設定される。処理回路は、ネットワークノードに、ビーム管理プロシージャの第３の部分中に、ネットワークノードから参照信号がその中で送信される、ビームの第３のセット中のどのビームの場合に参照信号が最も高い受信電力で受信されるかをビーム管理プロシージャに参加している端末デバイスの各々が識別することを可能にするように参照信号を送信させるように設定される。ビームの第１のセット中の各それぞれのビームについて、ビームの１つのそれぞれの第３のセットがある。ビーム管理プロシージャの第３の部分は、ビームの各それぞれの第３のセットについて実施される。第２の部分は、第３の部分の前に、少なくとも、ビームのそれぞれの第３のセットのうちの１つについて実施される。
【００１６】
第３の態様によれば、ビーム管理のためのネットワークノードが提示される。ネットワークノードは、ネットワークノードによってサーブされる端末デバイスのためのビーム管理プロシージャを実施するように設定されたビーム管理モジュールを備える。ネットワークノードは、ビーム管理プロシージャの第１の部分中に、ネットワークノードから参照信号がその中で送信される、ビームの第１のセット中のどのビーム中で参照信号が最も高い受信電力で受信されるかをビーム管理プロシージャに参加している端末デバイスの各々が識別することを可能にするように参照信号を送信するように設定された送信モジュールを備える。ネットワークノードは、ビーム管理プロシージャの第２の部分中に、端末デバイスによってネットワークノードからの参照信号がその中で受信される、ビームの第２のセット中のどのビーム中で参照信号が最も高い受信電力で受信されるかを端末デバイスの各々が識別することを可能にするように参照信号を送信するように設定された送信モジュールを備える。ネットワークノードは、ビーム管理プロシージャの第３の部分中に、ネットワークノードから参照信号がその中で送信される、ビームの第３のセット中のどのビームの場合に参照信号が最も高い受信電力で受信されるかをビーム管理プロシージャに参加している端末デバイスの各々が識別することを可能にするように参照信号を送信するように設定された送信モジュールを備える。ビームの第１のセット中の各それぞれのビームについて、ビームの１つのそれぞれの第３のセットがある。ビーム管理プロシージャの第３の部分は、ビームの各それぞれの第３のセットについて実施される。第２の部分は、第３の部分の前に、少なくとも、ビームのそれぞれの第３のセットのうちの１つについて実施される。
【００１７】
第４の態様によれば、ビーム管理のためのコンピュータプログラムが提示される。コンピュータプログラムは、ネットワークノードの処理回路上で起動するとき、ネットワークノードに、第１の態様による方法を実施させるコンピュータプログラムコードを備える。
【００１８】
第５の態様によれば、ビーム管理プロシージャに参加するための方法が提示される。本方法は、端末デバイスによって実施される。本方法は、端末デバイスをサーブするネットワークノードによるビーム管理プロシージャに参加することを含む。本方法は、ビーム管理プロシージャの第１の部分中に、ネットワークノードから参照信号がその中で送信される、ビームの第１のセット中のどのビームが最も高い受信電力で受信されるかを識別することを含む。本方法は、ビーム管理プロシージャの第２の部分中に、ネットワークノードから参照信号がその中で受信される、ビームの第２のセット中のどのビームが最も高い受信電力で受信されるかを識別することを含む。本方法は、ビーム管理プロシージャの第３の部分中に、ネットワークノードから参照信号がその中で送信される、ビームの第３のセット中のどのビームが最も高い受信電力でその参照信号、識別することを含む。参照信号は、ビーム管理プロシージャの第２の部分中に識別されたビームを使用して受信される。
【００１９】
第６の態様によれば、ビーム管理プロシージャに参加するための端末デバイスが提示される。端末デバイスは、処理回路を備える。処理回路は、端末デバイスに、端末デバイスをサーブするネットワークノードによるビーム管理プロシージャに参加させるように設定される。処理回路は、端末デバイスに、ビーム管理プロシージャの第１の部分中に、ネットワークノードから参照信号がその中で送信される、ビームの第１のセット中のどのビームが最も高い受信電力で受信されるかを識別させるように設定される。処理回路は、端末デバイスに、ビーム管理プロシージャの第２の部分中に、ネットワークノードから参照信号がその中で受信される、ビームの第２のセット中のどのビームが最も高い受信電力で受信されるかを識別させるように設定される。処理回路は、端末デバイスに、ビーム管理プロシージャの第３の部分中に、ネットワークノードから参照信号がその中で送信される、ビームの第３のセット中のどのビームが最も高い受信電力でその参照信号、識別させるように設定される。参照信号は、ビーム管理プロシージャの第２の部分中に識別されたビームを使用して受信される。
【００２０】
第７の態様によれば、ビーム管理プロシージャに参加するための端末デバイスが提示される。端末デバイスは、端末デバイスをサーブするネットワークノードによるビーム管理プロシージャに参加するように設定されたビーム管理モジュールを備える。端末デバイスは、ビーム管理プロシージャの第１の部分中に、ネットワークノードから参照信号がその中で送信される、ビームの第１のセット中のどのビームが最も高い受信電力で受信されるかを識別するように設定された識別モジュールを備える。端末デバイスは、ビーム管理プロシージャの第２の部分中に、ネットワークノードから参照信号がその中で受信される、ビームの第２のセット中のどのビームが最も高い受信電力で受信されるかを識別するように設定された識別モジュールを備える。端末デバイスは、ビーム管理プロシージャの第３の部分中に、ネットワークノードから参照信号がその中で送信される、ビームの第３のセット中のどのビームが最も高い受信電力でその参照信号、識別するように設定された識別モジュールを備える。参照信号は、ビーム管理プロシージャの第２の部分中に識別されたビームを使用して受信される。
【００２１】
第８の態様によれば、ビーム管理プロシージャに参加するためのコンピュータプログラムが提示され、コンピュータプログラムは、端末デバイスの処理回路上で起動するとき、第５の態様による方法を端末デバイスに実施させるコンピュータプログラムコードを備える。
【００２２】
第９の態様によれば、第４の態様および第８の態様のうちの少なくとも１つによるコンピュータプログラムと、コンピュータプログラムが記憶されるコンピュータ可読記憶媒体とを備えるコンピュータプログラム製品が提示される。コンピュータ可読記憶媒体は、非一時的コンピュータ可読記憶媒体であり得る。
【００２３】
有利に、これらの方法、これらのネットワークノード、これらの端末デバイス、およびこれらのコンピュータプログラムは、効率的なビーム管理プロシージャが実施されることを可能にする。
【００２４】
有利に、このビーム管理プロシージャは、上記で言及された問題という欠点がない。
【００２５】
有利に、これらの方法、これらのネットワークノード、これらの端末デバイス、およびこれらのコンピュータプログラムは、いくつかの端末デバイスが効率的な様式でビーム管理プロシージャを共有することができるので、ビーム管理のためのオーバーヘッドシグナリングが低減されることを可能にする。
【００２６】
有利に、このビーム管理プロシージャは、第２の部分および第３の部分が、端末デバイスのグループによって共有されることを可能にする。
【００２７】
同封の実施形態の他の目標、特徴、および利点は、以下の詳細な開示から、添付の従属請求項から、ならびに図面から明らかとなるであろう。
【００２８】
概して、特許請求の範囲において使用されるすべての用語は、本明細書で別段明示的に規定されない限り、本技術分野におけるその通例の意味に従って解釈されるべきである。「１つの（ａ／ａｎ）／その（ｔｈｅ）エレメント、装置、構成要素、手段、モジュール、ステップなど」へのすべての言及は、別段明示的に述べられていない限り、そのエレメント、装置、構成要素、手段、モジュール、ステップなどの少なくとも１つの事例を指すようにオープンに解釈されるべきである。本明細書で開示されるいずれの方法のステップも、明示的に述べられていない限り、開示される厳密な順序で実施される必要はない。
【００２９】
次に、例として、添付の図面を参照しながら、本発明の概念が説明される。
【図面の簡単な説明】
【００３０】
【図１】従来のビーム管理プロシージャの概略図である。
【図２】ビームを示す概略図である。
【図３】実施形態による通信ネットワークを示す概略図である。
【図４】実施形態による方法のフローチャートである。
【図５】実施形態による方法のフローチャートである。
【図６】実施形態によるビーム管理プロシージャの概略図である。
【図７】一実施形態によるシグナリング図である。
【図８】一実施形態によるネットワークノードの機能ユニットを示す概略図である。
【図９】一実施形態によるネットワークノードの機能モジュールを示す概略図である。
【図１０】一実施形態による端末デバイスの機能ユニットを示す概略図である。
【図１１】一実施形態による端末デバイスの機能モジュールを示す概略図である。
【図１２】一実施形態によるコンピュータ可読手段を備えるコンピュータプログラム製品の一例を示す図である。
【発明を実施するための形態】
【００３１】
本発明の概念のいくつかの実施形態が示された添付の図面を参照しながら、次に、本発明の概念が以下でさらに十分に説明される。しかしながら、本発明の概念は、多くの異なる形態で具現化され得、本明細書に記載される実施形態に限定されるものとして解釈されるべきではなく、むしろ、これらの実施形態は、本開示が徹底的かつ完全であり、本発明の概念の範囲を当業者に十分に伝えるように、例として提供される。同様の番号は、説明全体にわたって同様のエレメントを指す。破線によって示される任意のステップまたは特徴は、随意と見なされるべきである。
【００３２】
図３は、本明細書で提示される実施形態が適用され得る、通信ネットワーク１００を示す概略図である。通信ネットワーク１００は、第３世代（３Ｇ）電気通信ネットワーク、第４世代（４Ｇ）電気通信ネットワーク、または第５世代（５Ｇ）電気通信ネットワークであり、適用可能な場合に、任意の３ＧＰＰ電気通信規格をサポートすることができる。
【００３３】
通信ネットワーク１００は、無線アクセスネットワーク１１０における少なくとも１つの端末デバイス３００ａにネットワークアクセスを提供するように設定されたネットワークノード２００を備える。無線アクセスネットワーク１１０は、コアネットワーク１２０に動作可能に接続される。コアネットワーク１２０は、インターネットなど、サービスネットワーク１３０に動作可能に接続される。端末デバイス３００ａは、それにより、ネットワークノード２００を介して、サービスネットワーク１３０のサービスにアクセスすることと、サービスネットワーク１３０とデータを交換することとを可能にされる。
【００３４】
ネットワークノード２００の例は、無線アクセスネットワークノード、無線基地局、基地トランシーバ局、ノードＢ、エボルブドノードＢ、ｇノードＢ、アクセスポイント、およびアクセスノード、およびバックホールノードである。端末デバイス３００ａの例は、無線デバイス、移動局、モバイルフォン、ハンドセット、無線ローカルループ電話、ユーザ機器（ＵＥ）、スマートフォン、ラップトップコンピュータ、タブレットコンピュータ、ネットワーク搭載センサー、ネットワーク搭載車両、およびいわゆるモノのインターネットデバイスである。
【００３５】
ネットワークノード２００は、そのうちの１つが参照番号１４０ｂ−ｃにおいて示されるビーム中で端末デバイス３００ａと通信するように設定され、端末デバイス３００ａは、そのうちの１つが参照番号１５０ａおいて示されるビーム中でネットワークノード２００と通信するように設定される。さらに、ネットワークノード２００および端末デバイス３００ａは、本明細書では概して、異なるビームパターンを有すると呼ばれる、異なる形状および幅を有する様々なビームを使用して互いと通信するように設定され得る。
【００３６】
上記で開示されたように、ビーム管理は、ネットワークノード２００および端末デバイス３００ａ〜３００ｆが、互いとの通信のためにどんなビームを使用すべきかを知るために実施される。旧来のビーム管理プロシージャの場合の問題が、上記で開示された。本明細書の実施形態の目的は、したがって、上記で言及した問題という欠点がないか、あるいは少なくとも上記の問題が緩和または低減された、効率的なビーム管理プロシージャを提供することである。
【００３７】
したがって、本明細書で開示される実施形態は、ビーム管理のための、およびビーム管理プロシージャに参加するための機構に関する。そのような機構を取得するために、ネットワークノード２００と、ネットワークノード２００によって実施される方法と、たとえばコンピュータプログラムの形態で、コードを備えるコンピュータプログラム製品とが提供され、コードは、ネットワークノード２００の処理回路上で起動するとき、ネットワークノード２００に方法を実施させる。そのような機構を取得するために、端末デバイス３００ａと、端末デバイス３００ａによって実施される方法と、たとえばコンピュータプログラムの形態で、コードを備えるコンピュータプログラム製品とがさらに提供され、コードは、端末デバイス３００ａの処理回路上で起動するとき、端末デバイス３００ａに方法を実施させる。
【００３８】
次に、一実施形態による、ネットワークノード２００によって実施されるビーム管理のための方法を示す図４が参照される。
【００３９】
ビーム管理プロシージャが実施されるべきであると仮定される。したがって、ネットワークノード２００は、ステップＳ１０４を実施するように設定される。
【００４０】
Ｓ１０４：ネットワークノード２００は、ネットワークノード２００によってサーブされる端末デバイス３００ａ〜３００ｆのためのビーム管理プロシージャを実施する。ビーム管理プロシージャを実施することは、ステップＳ１０６、Ｓ１０８、およびＳ１１０を含む。
【００４１】
ビーム管理プロシージャは、第１の部分を備える。詳細には、ネットワークノード２００は、ステップＳ１０６を実施するように設定される。
【００４２】
Ｓ１０６：ネットワークノード２００は、ビーム管理プロシージャの第１の部分中に、ネットワークノード２００から参照信号がその中で送信される、ビームの第１のセット１４０ａ、１４０ｂ、１４０ｃ中のどのビーム中で参照信号が最も高い受信電力で受信されるかをビーム管理プロシージャに参加している端末デバイス（３００ａ〜３００ｆ）の各々が識別することを可能にするように参照信号を送信する。したがって、ビームの第１のセット１４０ａ、１４０ｂ、１４０ｃは、参照信号を送信するためにネットワークノード２００によって使用される。
【００４３】
ビーム管理プロシージャは、第２の部分を備える。詳細には、ネットワークノード２００は、ステップＳ１０８を実施するように設定される。
【００４４】
Ｓ１０８：ネットワークノード２００は、ビーム管理プロシージャの第２の部分中に、（ビーム管理プロシージャに参加している）端末デバイス３００ａ〜３００ｆによってネットワークノード２００からの参照信号がその中で受信される、ビームの第２のセット１５０ａ、１５０ｂ、１５０ｃ中のどのビーム中で参照信号が最も高い受信電力で受信されるかを（ビーム管理プロシージャに参加している）端末デバイス３００ａ〜３００ｆの各々が識別することを可能にするように参照信号を送信する。したがって、ビームの第２のセット１５０ａ、１５０ｂ、１５０ｃは、参照信号を受信するために端末デバイス３００ａ〜３００ｆによって使用される。
【００４５】
ビーム管理プロシージャは、第３の部分を備える。詳細には、ネットワークノード２００は、ステップＳ１１０を実施するように設定される。
【００４６】
Ｓ１１０：ネットワークノードは、ビーム管理プロシージャの第３の部分中に、ネットワークノード２００から参照信号がその中で送信される、ビームの第３のセット１４０ｂ−ａ、１４０ｂ−ｂ、１４０ｂ−ｃ中のどのビームの場合に参照信号が最も高い受信電力で受信されるかをビーム管理プロシージャに参加している端末デバイス３００ａ〜３００ｆの各々が識別することを可能にするように参照信号を送信する。したがって、ビームの第３のセット１４０ｂ−ａ、１４０ｂ−ｂ、１４０ｂ−ｃは、参照信号を送信するためにネットワークノード２００によって使用される。
【００４７】
ビームの第１のセット１４０ａ、１４０ｂ、１４０ｃ中の各それぞれのビーム１４０ｂについて、ビームの１つのそれぞれの第３のセット１４０ｂ−ａ、１４０ｂ−ｂ、１４０ｂ−ｃがある。ビーム管理プロシージャの第３の部分は、ビームの各それぞれの第３のセット１４０ｂ−ａ、１４０ｂ−ｂ、１４０ｂ−ｃについて実施される。第２の部分は、第３の部分の前に、少なくとも、ビームのそれぞれの第３のセット１４０ｂ−ａ、１４０ｂ−ｂ、１４０ｂ−ｃのうちの１つについて実施される。
【００４８】
それにより、端末デバイス３００ａ〜３００ｆが、ビーム管理プロシージャの第１の部分から最良のビームを報告した後に、ビーム管理プロシージャの共有される第２の部分が、同じ最良のビームを報告したすべての端末デバイスについて実施され得る。さらに、これは、ビーム管理プロシージャの第３の部分も、これらの端末デバイスについて共有されることを可能にする。
【００４９】
次に、ネットワークノード２００によって実施されるビーム管理のさらなる詳細に関係する実施形態が開示される。
【００５０】
いくつかの態様では、ネットワークノード２００は、ビーム管理プロシージャに関して端末デバイス３００ａ〜３００ｆに情報を提供する。詳細には、一実施形態によれば、ネットワークノード２００は、（随意の）ステップＳ１０２を実施するように設定される。
【００５１】
Ｓ１０２：ネットワークノード２００は、ビーム管理プロシージャを実施する前に、端末デバイス３００ａ〜３００ｆに、ビーム管理プロシージャに関する情報を提供する。
【００５２】
情報は、ビーム管理プロシージャが実施されるべきである時点、ビーム管理プロシージャの第１、第２、および第３の部分が実施されるべきである順序などを規定し得る。
【００５３】
ネットワークノード２００が送信する、異なるタイプの参照信号があり得る。例は、限定はしないが、チャネル状態情報参照信号（ＣＳＩ−ＲＳ）、および同期信号ブロック（ＳＳＢ）を含む。
【００５４】
次に、ビーム管理プロシージャの第１の部分の態様が開示される。
【００５５】
ビーム管理プロシージャの第１の部分は、ネットワークノード２００が、ビームの第１のセット１４０ａ、１４０ｂ、１４０ｃ中の各ビーム中で参照信号を送信することを伴い得る。詳細には、一実施形態によれば、ネットワークノード２００は、（随意の）ステップＳ１０６ａを実施するように設定される。
【００５６】
Ｓ１０６ａ：ネットワークノード２００は、ネットワークノード２００によってサーブされる端末デバイス３００ａ〜３００ｆのほうへ、ビームの第１のセット１４０ａ、１４０ｂ、１４０ｃ中の各ビーム中で参照信号の１つの発生を送信する。
【００５７】
ステップＳ１０６ａは、いくつかの態様では、ステップＳ１０６の一部である。
【００５８】
ビーム管理プロシージャの第１の部分は、ビーム管理プロシージャに参加している端末デバイス３００ａ〜３００ｆが、ビームの第１のセット１４０ａ、１４０ｂ、１４０ｃ中のビーム中で送信された参照信号に関する受信電力を測定し、次いでこれをネットワークノード２００に報告することを伴い得る。詳細には、一実施形態によれば、ネットワークノード２００は、（随意の）ステップＳ１０６ｂを実施するように設定される。
【００５９】
Ｓ１０６ｂ：ネットワークノード２００は、（ビーム管理プロシージャに参加している）端末デバイス３００ａ〜３００ｆの各々から、それぞれの第１の報告を受信する。特定の端末デバイス３００ａ〜３００ｆについての第１の報告は、その特定の端末デバイス３００ａ〜３００ｆにおいて最も高い受信電力で受信された、ビームの第１のセット１４０ａ、１４０ｂ、１４０ｃ中の少なくともそのビームを識別する。
【００６０】
いくつかの態様では、ビーム管理プロシージャの第１の部分は、上述のＰ−１プロシージャの一部である。
【００６１】
次に、ビーム管理プロシージャの第２の部分の態様が開示される。
【００６２】
ビーム管理プロシージャの第２の部分は、ネットワークノード２００が、それについての少なくとも１つの第１の報告が受信されたビームの第１のセット１４０ａ、１４０ｂ、１４０ｃ中のそれらのビーム中で、参照信号を送信することを伴い得る。この点において、ビーム管理プロシージャの第２の部分の１つの発生は、したがって、それについての少なくとも１つの第１の報告が受信されたビームの第１のセット１４０ａ、１４０ｂ、１４０ｃ中のそれらのビームの各々について実施され得る。詳細には、一実施形態によれば、ネットワークノード２００は、ビーム管理プロシージャの第２の部分の各発生について、（随意の）ステップＳ１０６ａを実施するように設定される。
【００６３】
Ｓ１０８ａ：ネットワークノード２００は、それについての少なくとも１つの第１の報告が受信されたビームの第１のセット１４０ａ、１４０ｂ、１４０ｃ中のそれらのビームのうちの１つ中で、参照信号の設定された数の発生を送信する。
【００６４】
ステップＳ１０８ａは、したがって、それについての少なくとも１つの第１の報告が受信されたビームの第１のセット１４０ａ、１４０ｂ、１４０ｃ中のそれらのビームの各々について繰り返され得る。
【００６５】
ステップＳ１０８ａは、いくつかの態様では、ステップＳ１０８の一部である。
【００６６】
ビーム管理プロシージャの第２の部分の各発生は、端末デバイスのそれぞれのグループによって共有され得る。詳細には、一実施形態によれば、ビーム管理プロシージャの第２の部分の１つの発生は、それについての少なくとも１つの第１の報告が受信されたビームの第１のセット１４０ａ、１４０ｂ、１４０ｃ中のビームごとに実施される。ビーム管理プロシージャの第２の部分の各発生は、ビームの第１のセット１４０ａ、１４０ｂ、１４０ｃ中の同じビームが最も高い受信電力で受信された、端末デバイス３００ａ〜３００ｆのうちのすべてのそれらについて実施される。以下で参照される図６の例示的な例では、端末デバイス３００ｂ、３００ｃ、３００ｄはすべて、ビーム１４０ｂを最も強いものとして報告し、したがって、ビーム管理プロシージャの第２の部分の１つの発生を共有する端末デバイスのグループを形成する。
【００６７】
参照信号の発生の設定された数を決定するための異なるやり方があり得る。いくつかの態様では、参照信号は、端末デバイス３００ａ〜３００ｆにおける狭いビームの数と同数回、送信される。詳細には、一実施形態によれば、発生の設定された数は、ビームの第２のセット１５０ａ、１５０ｂ、１５０ｃ中のビームの数によって規定される。以下で参照される図６の例示的な例では、端末デバイス３００ｂ、３００ｃ、３００ｄはすべて、３つの狭いビーム１５０ａ、１５０ｂ、１５０ｃを有し、したがって、参照信号は、ビーム管理プロシージャの第２の部分のこの発生中に、ビーム１４０ｂ中で３回送信され得る。異なる数の狭いビーム１５０ａ、１５０ｂ、１５０ｃをもつ端末デバイス３００ｂ、３００ｃ、３００ｄがある場合、参照信号は、ビーム管理プロシージャの第２の部分のこの発生中に、狭いビームの最も高い数と同数回、送信され得る。
【００６８】
それは、したがって、異なる端末デバイス、またはそれらのグループが、ビームの第１のセット１４０ａ、１４０ｂ、１４０ｃ中の異なる最良のビームを報告することになり得る。以下で参照される図６の例示的な例では、端末デバイス３００ａは、ビーム１４０ａを最良のビームとして報告する可能性があるが、端末デバイス３００ｂ、３００ｃ、３００ｄは、ビーム１４０ｂを最良のビームとして報告する可能性がある。
【００６９】
ビームの第１のセット１４０ａ、１４０ｂ、１４０ｃ中のどのビームについて、最初にビーム管理プロシージャの第２の部分を実施すべきかを決定するための異なるやり方があり得る。いくつかの態様では、順序は、あるビーム１３４０ａ、１４０ｂ、１４０ｃが最良であると報告する端末デバイス３００ａ〜３００ｆの数によって決定される。詳細には、一実施形態によれば、ビームの第１のセット１４０ａ、１４０ｂ、１４０ｃ中のビームに関して、ビーム管理プロシージャの第２の部分をどの順序で実施すべきかは、端末デバイス３００ａ〜３００ｆのうちのいくつが、最も高い受信電力で受信されるものとしてビームの第１のセット１４０ａ、１４０ｂ、１４０ｃ中のビームの各々を識別したかに依存する。
【００７０】
他の基準は、ビーム管理プロシージャの第２の部分が、最初に、比較的高いレベルのサービス、または高いレベルのサービス要求を伴う端末デバイスのグループ３００ａ〜３００ｆをサーブするビームの第１のセット１４０ａ、１４０ｂ、１４０ｃ中のビームについて実施されるように、端末デバイス３００ａ〜３００ｆに提供されるサービスのタイプに依存し得る。
【００７１】
いくつかの態様では、ビーム管理プロシージャの第２の部分は、上述のＰ−３プロシージャの一部である。
【００７２】
次に、ビーム管理プロシージャの第３の部分の態様が開示される。
【００７３】
ビーム管理プロシージャの第３の部分は、ネットワークノード２００が、第１の報告中で識別されているビームの第１のセット１４０ａ、１４０ｂ、１４０ｃ中のそれらのビームによってカバーされるそれらのビーム１４０ｂ−ａ、１４０ｂ−ｂ、１４０ｂ−ｃ中で参照信号を送信することを伴い得る。この点において、ビーム管理プロシージャの第３の部分の１つの発生は、したがって、それについての少なくとも１つの第１の報告が受信されたビームの第１のセット１４０ａ、１４０ｂ、１４０ｃ中のそれらのビームの各々について実施され得る。詳細には、一実施形態によれば、ネットワークノード２００は、ビーム管理プロシージャの第３の部分の各発生について、（随意の）ステップＳ１１０ａを実施するように設定される。
【００７４】
Ｓ１１０ａ：ネットワークノード２００は、それぞれの第１の報告中で識別されているビームの第１のセット１４０ａ、１４０ｂ、１４０ｃ中のそれらのビームのうちの１つによってカバーされるビームのそのそれぞれの第３のセット１４０ｂ−ａ、１４０ｂ−ｂ、１４０ｂ−ｃ中の各ビーム中で、参照信号の１つの発生を送信する。
【００７５】
ステップＳ１１０ａは、したがって、それについての少なくとも１つの第１の報告が受信されたビームの第１のセット１４０ａ、１４０ｂ、１４０ｃ中のそれらのビームによってカバーされる第３のビームの各セットについて繰り返され得る。
【００７６】
ステップＳ１１０ａは、いくつかの態様では、ステップＳ１１０の一部である。
【００７７】
ビーム管理プロシージャの第３の部分は、ステップＳ１１０ａにおいて参照信号を受信する端末デバイス３００ａ〜３００ｆが、ビームの第３のセット１４０ｂ−ａ、１４０ｂ−ｂ、１４０ｂ−ｃ中のビーム中で送信された参照信号に関する受信電力を測定し、次いでこれをネットワークノード２００に報告することを伴い得る。詳細には、一実施形態によれば、ネットワークノード２００は、（随意の）ステップＳ１１０ｂを実施するように設定される。
【００７８】
Ｓ１１０ｂ：ネットワークノード２００は、ビームの第３のセット１４０ｂ−ａ、１４０ｂ−ｂ、１４０ｂ−ｃ中のビームのうちの少なくとも１つ中で参照信号を受信した端末デバイス３００ａ〜３００ｆの各々から、それぞれの第２の報告を受信する。特定の端末デバイス３００ａ〜３００ｆについての第２の報告は、その特定の端末デバイス３００ａ〜３００ｆにおいて最も高い受信電力で受信された、ビームの第３のセット１４０ｂ−ａ、１４０ｂ−ｂ、１４０ｂ−ｃ中の少なくともそのビームを識別する。
【００７９】
ステップＳ１１０ｂは、いくつかの態様では、ステップＳ１１０の一部である。
【００８０】
ビーム管理プロシージャの第３の部分の各発生は、端末デバイスのそれぞれのグループによって共有され得る。詳細には、一実施形態によれば、ビーム管理プロシージャの第３の部分の１つの発生が、ビームの第３のセット１４０ｂ−ａ、１４０ｂ−ｂ、１４０ｂ−ｃごとに実施される。ビーム管理プロシージャの第３の部分の各発生は、ビームの第１のセット１４０ａ、１４０ｂ、１４０ｃ中の同じビームが最も高い受信電力で受信された、端末デバイス３００ａ〜３００ｆのうちのすべてのそれらについて実施される。以下で参照される図６の例示的な例では、端末デバイス３００ｂ、３００ｃ、３００ｄはすべて、ビーム１４０ｂを最も強いものとして報告し、したがって、ビーム管理プロシージャの第３の部分の１つの発生を共有する端末デバイスのグループを形成する。ビーム管理プロシージャの第３の部分の１つの発生は、ビーム管理プロシージャの第２の部分の１つの発生を共有した端末デバイスの同じグループによって共有され得る。
【００８１】
いくつかの態様では、ビーム管理プロシージャの第３の部分は、上述のＰ−２プロシージャの一部である。
【００８２】
次に、ビーム管理プロシージャの第２の部分および第３の部分が実施される順序の態様が、開示される。
【００８３】
第１の例によれば、ビーム管理プロシージャは、ビーム管理プロシージャの第３の部分の何らかの発生が実施される前にビーム管理プロシージャの第２の部分のすべての発生が実施されるような第１の設定に従って実施される。いくつかの態様では、Ｐ−３プロシージャのすべての発生は、したがって、Ｐ−２プロシージャのすべての発生の前に実施される。
【００８４】
第２の例によれば、ビーム管理プロシージャは、ビーム管理プロシージャの第２の部分の各発生の後に、ビーム管理プロシージャの第３の部分の１つの発生が続くような第２の設定に従って実施される。いくつかの態様では、Ｐ−２プロシージャの１つの発生は、Ｐ−３プロシージャの各発生の後に続く。
【００８５】
どの設定を使用すべきかを決定するための異なるやり方があり得る。いくつかの態様では、順序は仕様に従って決定される。したがって、一実施形態によれば、ビーム管理プロシージャを第１の設定に従って実施すべきなのか、第２の設定に従って実施すべきなのかが、仕様に従って決定される。
【００８６】
次に、一実施形態による、端末デバイス３００ａによって実施されるビーム管理プロシージャに参加するための方法を示す図５が参照される。
【００８７】
上記で開示されたように、ビーム管理プロシージャが実施されるべきであると仮定される。したがって、端末デバイス３００ａ〜３００ｆは、ステップＳ２０４を実施するように設定される。
【００８８】
Ｓ２０４：端末デバイス３００ａ〜３００ｆは、端末デバイス３００ａ〜３００ｆをサーブするネットワークノード２００によるビーム管理プロシージャに参加する。ビーム管理プロシージャに参加することは、ステップＳ２０６、Ｓ２０８、およびＳ２１０を含む。
【００８９】
上記で開示されたように、ビーム管理プロシージャは、第１の部分を備える。詳細には、端末デバイス３００ａ〜３００ｆは、ステップＳ２０６を実施するように設定される。
【００９０】
Ｓ２０６：端末デバイス３００ａ〜３００ｆは、ビーム管理プロシージャの第１の部分中に、ネットワークノード２００から参照信号がその中で送信される、ビームの第１のセット１４０ａ、１４０ｂ、１４０ｃ中のどのビームが最も高い受信電力で受信されるかを識別する。
【００９１】
上記で開示されたように、ビーム管理プロシージャは、第２の部分を備える。詳細には、端末デバイス３００ａ〜３００ｆは、ステップＳ２０８を実施するように設定される。
【００９２】
Ｓ２０８：端末デバイス３００ａ〜３００ｆは、ビーム管理プロシージャの第２の部分中に、ネットワークノード２００から参照信号がその中で受信される、ビームの第２のセット１５０ａ、１５０ｂ、１５０ｃ中のどのビームが最も高い受信電力で受信されるかを識別する。
【００９３】
上記で開示されたように、ビーム管理プロシージャは、第３の部分を備える。詳細には、端末デバイス３００ａ〜３００ｆは、ステップＳ２１０を実施するように設定される。
【００９４】
Ｓ２１０：端末デバイス３００ａ〜３００ｆは、ビーム管理プロシージャの第３の部分中に、ネットワークノード２００から参照信号がその中で送信される、ビームの第３のセット１４０ｂ−ａ、１４０ｂ−ｂ、１４０ｂ−ｃ中のどのビームが最も高い受信電力でその参照信号、識別する。参照信号は、ビーム管理プロシージャの第２の部分中に識別されたビームを使用して受信される。
【００９５】
次に、端末デバイス３００ａによって実施される、ビーム管理プロシージャに参加することのさらなる詳細に関係する実施形態が開示される。
【００９６】
上記で開示されたように、いくつかの態様では、ネットワークノード２００は、ビーム管理プロシージャに関して端末デバイス３００ａ〜３００ｆに情報を提供する。詳細には、一実施形態によれば、端末デバイス３００ａ〜３００ｆは、（随意の）ステップＳ２０２を実施するように設定される。
【００９７】
Ｓ２０２：端末デバイス３００ａ〜３００ｆは、ビーム管理プロシージャに参加する前に、ネットワークノード２００から、ビーム管理プロシージャに関する情報を取得する。
【００９８】
ネットワークノード２００が送信し得る（したがって、端末デバイス３００ａ〜３００ｆが受信し得る）異なるタイプの参照信号の例が、上記で開示された。
【００９９】
次に、ビーム管理プロシージャの第１の部分に参加することの態様が開示される。
【０１００】
上記で開示されたように、ビーム管理プロシージャの第１の部分は、ネットワークノード２００が、ビームの第１のセット１４０ａ、１４０ｂ、１４０ｃ中の各ビーム中で参照信号を送信することを伴い得る。詳細には、一実施形態によれば、端末デバイス３００ａ〜３００ｆは、（随意の）ステップＳ２０６ａを実施するように設定される。
【０１０１】
Ｓ２０６ａ：端末デバイス３００ａ〜３００ｆは、ネットワークノード２００から、ビームの第１のセット１４０ａ、１４０ｂ、１４０ｃ中のビームのうちの少なくとも１つ中で参照信号の１つの発生を受信する。
【０１０２】
ステップＳ２０６ａは、いくつかの態様では、ステップＳ２０６の一部である。
【０１０３】
端末デバイス３００ａ〜３００ｆは、次いで、端末デバイス３００ａ〜３００ｆによって受信された、送信されたビーム中の参照信号の受信電力を測定し、これをネットワークノード２００に報告し得る。詳細には、一実施形態によれば、端末デバイス３００ａ〜３００ｆは、（随意の）ステップＳ２０６ｂを実施するように設定される。
【０１０４】
Ｓ２０６ｂ：端末デバイス３００ａ〜３００ｆは、ネットワークノード２００に、端末デバイス３００ａ〜３００ｆにおいて最も高い受信電力で受信された、ビームの第１のセット１４０ａ、１４０ｂ、１４０ｃ中の少なくともそのビームを識別する第１の報告を送信する。
【０１０５】
ステップＳ２０６ｂは、いくつかの態様では、ステップＳ２０６の一部である。
【０１０６】
次に、ビーム管理プロシージャの第２の部分に参加することの態様が開示される。
【０１０７】
上記で開示されたように、ビーム管理プロシージャの第２の部分は、ネットワークノード２００が、それについての少なくとも１つの第１の報告が受信されたビームの第１のセット１４０ａ、１４０ｂ、１４０ｃ中のそれらのビーム中で、参照信号を送信することを伴い得る。詳細には、一実施形態によれば、端末デバイス３００ａ〜３００ｆは、（随意の）ステップＳ２０８ａを実施するように設定される。
【０１０８】
Ｓ２０８ａ：端末デバイス３００ａ〜３００ｆは、第１の報告中で識別されたビームの第１のセット１４０ａ、１４０ｂ、１４０ｃ中のそれらのビーム中でネットワークノード２００によって送信される、参照信号の設定された数の発生を受信する。１つのそれぞれの発生は、端末デバイス３００ａ〜３００ｆによって、ビームの第２のセット１５０ａ、１５０ｂ、１５０ｃ中の１つのそれぞれのビーム中で受信される。
【０１０９】
ステップＳ２０８ａは、いくつかの態様では、ステップＳ２０８の一部である。
【０１１０】
端末デバイス３００ａ〜３００ｆは、次いで、端末デバイス３００ａ〜３００ｆによってビームの第２のセット１５０ａ、１５０ｂ、１５０ｃ中のビームの各々中で受信された参照信号の受信電力を測定し得る。
【０１１１】
次に、ビーム管理プロシージャの第３の部分に参加することの態様が開示される。
【０１１２】
上記で開示されたように、ビーム管理プロシージャの第３の部分は、ネットワークノード２００が、第１の報告中で識別されているビームの第１のセット１４０ａ、１４０ｂ、１４０ｃ中のそれらのビームによってカバーされるそれらのビーム１４０ｂ−ａ、１４０ｂ−ｂ、１４０ｂ−ｃ中で参照信号を送信することを伴い得る。詳細には、一実施形態によれば、端末デバイス３００ａ〜３００ｆは、（随意の）ステップＳ２１０ａを実施するように設定される。
【０１１３】
Ｓ２１０ａ：端末デバイス３００ａ〜３００ｆは、ネットワークノード２００から、第１の報告中で識別されているビームの第１のセット１４０ａ、１４０ｂ、１４０ｃ中のそれらのビームのうちの１つによってカバーされるビームのそのそれぞれの第３のセット１４０ｂ−ａ、１４０ｂ−ｂ、１４０ｂ−ｃ中のビームのうちの少なくとも１つ中で参照信号の１つの発生を受信する。
【０１１４】
ステップＳ２１０ａは、いくつかの態様では、ステップＳ２１０の一部である。
【０１１５】
端末デバイス３００ａ〜３００ｆは、次いで、端末デバイス３００ａ〜３００ｆによって受信された、送信されたビーム中の参照信号の受信電力を測定し、これをネットワークノード２００に報告し得る。詳細には、一実施形態によれば、端末デバイス３００ａ〜３００ｆは、（随意の）ステップＳ２１０ｂを実施するように設定される。
【０１１６】
Ｓ２１０ｂ：端末デバイス３００ａ〜３００ｆは、ネットワークノード２００に、端末デバイス３００ａ〜３００ｆにおいて最も高い受信電力で受信された、ビームの第３のセット１４０ｂ−ａ、１４０ｂ−ｂ、１４０ｂ−ｃ中の少なくともそのビームを識別する第２の報告を送信する。
【０１１７】
ビームの第２のセット中のこのようにして選択されたビームおよびビームの第３のセット中のこのようにして選択されたビームは、次いで、ネットワークノード２００と端末デバイス３００ａ〜３００ｆとの間の通信のために使用され得る。
【０１１８】
次に、本明細書で開示される実施形態によるビーム管理プロセスの一例を示す、図６が参照される。
【０１１９】
第１の部分において、すべての端末デバイス３００ａ〜３００ｆについて共通のＰ−１プロシージャは、ネットワークノード２００が広いビーム１４０ａ、１４０ｂ、１４０ｃ中で参照信号を送信することによって実施される。端末デバイス３００ａ〜３００ｆは、すべての可能な伝搬経路を捕捉するために、できるだけ広い受信ビーム１５０を使用することが予想される。各端末デバイス３００ａ〜３００ｆは、ネットワークノード２００に広いビーム１４０ａ、１４０ｂ、１４０ｃのうちの少なくとも最良のビームを折り返し報告する。図６の例示的な例では、端末デバイス３００ａは広いビーム１４０ａを報告し、端末デバイス３００ｂ〜３００ｄは広いビーム１４０ｂを報告し、端末デバイス３００ｅ、３００ｆは広いビーム１４０ｃを折り返し報告する。端末デバイス３００ｂ〜３００ｄがすべて、同じ広いビーム１４０ｂを報告するので、それらの端末デバイスはまとめて１つのグループにグループ化され、端末デバイス３００ｅ、３００ｆが両方とも、同じ広いビーム１４０ｃを報告するので、それらの端末デバイスはまとめて別のグループにグループ化される。
【０１２０】
第２の部分において、共有されるＰ−３プロシージャが、端末デバイス３００ｂ〜３００ｄについて実施される。共有されるＰ−３プロシージャ中に、参照信号は、端末デバイス３００ｂ〜３００ｄにビームのセット１５０ａ、１５０ｂ、１５０ｃから好適な狭い受信ビームを決定させるために、ネットワークノード２００によって広いビーム１４０ｂ中で繰り返し送信される。図６の例示的な例では、端末デバイス３００ｂは狭いビーム１５０ｂが最良であることを見つけ、端末デバイス３００ｃは狭いビーム１５０ｂが最良であること見つけ、端末デバイス３００ｄは狭いビーム１５０ａが最良であることを見つけると仮定される。共有されるＰ−３プロシージャが端末デバイス３００ｅ、３００ｆについても実施され、ここで、ネットワークノード２００は広いビーム１４０ｃを使用し、別のＰ−３プロシージャが端末デバイス３００ａについてだけ実施され、ここで、ネットワークノード２００は広いビーム１４０ａを使用する。
【０１２１】
第３の部分において、ネットワークノード２００における送信ビームを改良するために、共有されるＰ−２プロシージャが、端末デバイス３００ｂ〜３００ｄについて実施される。共有されるＰ−２プロシージャ中に、参照信号は、端末デバイス３００ｂ〜３００ｄによって最良として報告された広いビーム１４０ｂの角度スパンによってカバーされる、狭いビーム１４０ｂ−ａ、１４０ｂ−ｂ、１４０ｂ−ｃ中で送信される。説明の目的で、図６中の狭いビーム１４０ｂ−ａ、１４０ｂ−ｂ、１４０ｂ−ｃは、広いビーム１４０ｂよりも広い角度スパンを有する。各端末デバイス３００ｂ〜３００ｄは、ネットワークノード２００に狭いビーム１４０ｂ−ａ、１４０ｂ−ｂ、１４０ｂ−ｃのうちの少なくとも最良のビームを折り返し報告する。共有されるＰ−２プロシージャが端末デバイス３００ｅ、３００ｆについても実施され、ここで、ネットワークノード２００は、広いビーム１４０ｃによってカバーされる狭いビームを使用し、別のＰ−２プロシージャが端末デバイス３００ａについてだけ実施され、ここで、ネットワークノード２００は、広いビーム１４０ａによってカバーされる狭いビームを使用する。
【０１２２】
Ｐ−２プロシージャとＰ−３プロシージャの両方が、各グループ中のすべて端末デバイス間で共有されるので、参照信号送信のために必要とされるオーバーヘッドは、最小限に抑えられた。代わりに、Ｐ−２プロシージャが、Ｐ−３プロシージャの前に実施された場合、異なる端末デバイス３００ａ〜３００ｆがネットワークノード２００における異なる最良の狭い送信ビームを有する可能性があり、その場合、１つのＰ−３プロシージャが、図１に示されているように別個に各狭い送信ビームについて実施されなければならないので、端末デバイスのグループ間でＰ−３プロシージャを共有することは可能でないであろう。
【０１２３】
次に、図７のシグナリング図を参照しながら、上記で開示された実施形態のうちの少なくともいくつかに基づく、ビーム管理プロシージャの１つの特定の実施形態、および同じビーム管理プロシージャに参加するための１つの特定の実施形態が詳細に開示される。並列参照が図６に対して続けられる。
【０１２４】
Ｓ３０１：ネットワークノード２００は、上位レイヤシグナリング、端末デバイス３００ｂへのその通知を使用して、Ｐ−１、Ｐ−２およびＰ−３プロシージャ（どのリソースを使用すべきかおよびビーム管理プロシージャに参加する端末デバイスによって送信されるべき報告のための設定など）および信号を設定する。ステップＳ３０１を実装するための１つのやり方は、ステップＳ１０２およびステップＳ２０２を実施することである。
【０１２５】
Ｓ３０２：ネットワークノード２００は、端末デバイス３００ｂにＰ−１トリガコマンドをシグナリングすることによって、Ｐ−１プロシージャをトリガする。
【０１２６】
Ｓ３０３：ネットワークノード２００は、広いビーム１４０ａ、１４０ｂ、１４０ｃ中でＣＳＩ−ＲＳを送信し、端末デバイス３００ｂは、広いビーム１５０中でＣＳＩ−ＲＳを受信し、ＣＳＩ−ＲＳに関するＲＳＲＰ測定を実施する。ステップＳ３０３を実装するための１つのやり方は、ステップＳ１０４、Ｓ１０６、Ｓ１０６ａおよびステップＳ２０４、Ｓ２０６、Ｓ２０６ａを実施することである。
【０１２７】
Ｓ３０４：端末デバイス３００ｂは、ネットワークノード２００に第１のビーム報告をシグナリングし、最良の広いビームおよび対応するＲＳＲＰ値に関する情報を提供する。ステップＳ３ｘｘを実装するための１つのやり方は、ステップＳ１０４、Ｓ１０６、Ｓ１０６ｂおよびステップＳ２０４、Ｓ２０６、Ｓ２０６ｂを実施することである。
【０１２８】
Ｓ３０５：ネットワークノード２００は、同じ最良の広いビームを報告する端末デバイスが同じグループに属するように、端末デバイスをグループ化する。
【０１２９】
Ｓ３０６：ネットワークノード２００は各グループについて、そのグループについて報告された最良の広いビーム中で、共有されるＰ−３プロシージャ、すなわちグループごとに１つのＰ−３プロシージャをトリガし、ここで、１つのグループ内のすべての端末デバイスは同じＰ−３プロシージャを共有する。
【０１３０】
Ｓ３０７：ネットワークノード２００は、グループごとに報告された広いビームを使用してそれぞれのＰ−３プロシージャのためのＣＳＩ−ＲＳを送信することによって、グループごとにＰ−３プロシージャを実施する。ステップＳ３０７を実装するための１つのやり方は、ステップＳ１０４、Ｓ１０８、Ｓ１０８ａおよびステップＳ２０４、Ｓ２０８、Ｓ２０８ａを実施することである。
【０１３１】
Ｓ３０８：端末デバイス３００ｂは、それの狭いビーム１５０ａ、１５０ｂ、１５０ｃを掃引しながら、ＣＳＩ−ＲＳについてのＲＳＲＰを測定し、最も高いＲＳＲＰ値をもつ狭いビーム１５０ｂを選択する。
【０１３２】
Ｓ３０９：ネットワークノード２００は各グループについて、共有されるＰ−２プロシージャ、すなわちグループごとに１つのＰ−２プロシージャをトリガし、ここで、１つのグループ内のすべての端末デバイスは同じＰ−２プロシージャを共有する。
【０１３３】
Ｓ３１０：ネットワークノード２００は、狭いビーム１４０ｂ−ａ、１４０ｂ−ｂ、１４０ｂ−ｃ中でグループごとにそれぞれのＰ−２プロシージャのためのＣＳＩ−ＲＳを送信し、ここで、すべての狭いビーム１４０ｂ−ａ、１４０ｂ−ｂ、１４０ｂ−ｃは、グループごとに報告された最良の広いビーム１４０ｂ内に制限される。ステップＳ３１０を実装するための１つのやり方は、ステップＳ１０４、Ｓ１１０、Ｓ１１０ａおよびステップＳ２０４、Ｓ２１０、Ｓ２１０ａを実施することである。
【０１３４】
Ｓ３１１：端末デバイス３００ｂは、異なるＣＳＩ−ＲＳについてのＲＳＲＰを測定し、最良の狭いビーム１４０ｂ−ｂをネットワークノード２００に報告するために、それの選択された狭いビーム１５０ｂを使用する。ステップＳ３１１を実装するための１つのやり方は、ステップＳ１０４、Ｓ１１０、Ｓ１１０ｂおよびステップＳ２０４、Ｓ２１０、Ｓ２１０ｂを実施することである。
【０１３５】
Ｓ３１２：ネットワークノード２００および端末デバイス３００ｂは、ネットワークノード２００における狭いビーム１４０ｂ−ｂと端末デバイス３００ｂにおける狭いビーム１５０ｂとによって規定されたビームペアリンクを使用してデータ通信を始動する。
【０１３６】
図８は、いくつかの機能ユニットに関して、一実施形態によるネットワークノード２００の構成要素を概略的に示す。処理回路２１０は、たとえば、記憶媒体２３０の形態で（図１２の場合のように）コンピュータプログラム製品１２１０ａに記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路２１０はさらに、少なくとも１つの特定用途向け集積回路（ＡＳＩＣ）、またはフィールドプログラマブルゲートアレイ（ＦＰＧＡ）として提供され得る。
【０１３７】
詳細には、処理回路２１０は、上記で開示されたように、ネットワークノード２００に、動作またはステップのセットを実施させるように設定される。たとえば、記憶媒体２３０は動作のセットを記憶し得、処理回路２１０は、ネットワークノード２００に動作のセットを実施させるために、記憶媒体２３０から動作のセットを取り出すように設定され得る。動作のセットは、実行可能な命令のセットとして提供され得る。したがって、それにより、処理回路２１０は、本明細書で開示される方法を実行するように構成される。
【０１３８】
記憶媒体２３０はまた、たとえば、磁気メモリ、光メモリ、固体メモリ、さらにはリモートに搭載されるメモリのうちのいずれか単独の１つまたは組合せであり得る、永続記憶装置を備え得る。
【０１３９】
ネットワークノード２００は、通信ネットワーク１００の他のエンティティ、機能、ノード、およびデバイスとの通信のための通信インターフェース２２０をさらに備え得る。したがって、通信インターフェース２２０は、アナログおよびデジタル構成要素を備える１つまたは複数の送信機および受信機を備え得る。
【０１４０】
処理回路２１０は、たとえば、データおよび制御信号を通信インターフェース２２０および記憶媒体２３０に送ることによって、データおよび報告を通信インターフェース２２０から受信することによって、ならびにデータおよび命令を記憶媒体２３０から取り出すことによって、ネットワークノード２００の全般の動作を制御する。ネットワークノード２００の他の構成要素、ならびに関係する機能は、本明細書で提示される概念を不明瞭にしないために省略される。
【０１４１】
図９は、いくつかの機能モジュールに関して、一実施形態によるネットワークノード２００の構成要素を概略的に示す。図９のネットワークノード２００は、いくつかの機能モジュール、すなわち、ステップＳ１０４を実施するように設定されたビーム管理モジュール２１０ｂと、ステップＳ１０６を実施するように設定された送信モジュール２１０ｃと、ステップＳ１０８を実施するように設定された送信モジュール２１０ｆと、ステップＳ１１０を実施するように設定された送信モジュール２１０ｈとを備える。図９のネットワークノード２００は、ステップＳ１０２を実施するように設定された通知モジュール２１０ａ、ステップＳ１０６ａを実施するように設定された送信モジュール２１０ｄ、ステップＳ１０６ｂを実施するように設定された受信モジュール２１０ｅ、ステップＳ１０８ａを実施するように設定された送信モジュール２１０ｇ、ステップＳ１１０ａを実施するように設定された送信モジュール２１０ｉ、およびステップＳ１１０ｂを実施するように設定された受信モジュール２１０ｊのうちのいずれかなど、いくつかの随意の機能モジュールをさらに備え得る。
【０１４２】
一般論として、各機能モジュール２１０ａ〜２１０ｊは、ハードウェアでまたはソフトウェアで実装され得る。好ましくは、１つまたは複数のまたはすべての機能モジュール２１０ａ〜２１０ｊが、処理回路２１０によって、場合によっては通信インターフェース２２０および／または記憶媒体２３０と協働して実装され得る。処理回路２１０は、したがって、機能モジュール２１０ａ〜２１０ｊによって提供される命令を記憶媒体２３０からフェッチし、これらの命令を実行するように構成され、それにより、本明細書で開示されるようにネットワークノード２００の任意のステップを実施し得る。
【０１４３】
ネットワークノード２００は、スタンドアロンデバイスとして、または少なくとも１つのさらなるデバイスの一部として提供され得る。たとえば、ネットワークノード２００は、無線アクセスネットワーク１１０のノードにおいて、またはコアネットワーク１２０のノードにおいて提供され得る。代替として、ネットワークノード２００の機能が、少なくとも２つのデバイスまたはノード間で分散され得る。これらの少なくとも２つのノードまたはデバイスは、（無線アクセスネットワーク１１０またはコアネットワーク１２０など）同じネットワーク部分の一部であり得るか、または少なくとも２つのそのようなネットワーク部分間で拡散され得るかのいずれかであり得る。一般論として、リアルタイムで実施されることを必要とされる命令は、リアルタイムで実施されることを必要とされない命令よりも、無線アクセスネットワーク１１０に動作可能に近いデバイスまたはノードにおいて実施され得る。
【０１４４】
したがって、ネットワークノード２００によって実施される命令の第１の部分が第１のデバイスにおいて実行され得、ネットワークノード２００によって実施される命令の第２の部分が第２のデバイスにおいて実行され得、本明細書で開示される実施形態は、ネットワークノード２００によって実施される命令が実行され得るいかなる特定の数のデバイスにも限定されない。したがって、本明細書で開示される実施形態による方法は、クラウドコンピュータによる環境に常住するネットワークノード２００によって実施されることに好適である。したがって、図８には単一の処理回路２１０が示されているが、処理回路２１０は、複数のデバイスまたはノードの間で分散され得る。同じことは、図９の機能モジュール２１０ａ〜２１０ｊ、および図１２のコンピュータプログラム１２２０ａに適用される。
【０１４５】
図１０は、いくつかの機能ユニットに関して、一実施形態による端末デバイス３００ａの構成要素を概略的に示す。処理回路３１０は、たとえば、記憶媒体３３０の形態で（図１２の場合のように）コンピュータプログラム製品１２１０ｂに記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路３１０はさらに、少なくとも１つの特定用途向け集積回路（ＡＳＩＣ）、またはフィールドプログラマブルゲートアレイ（ＦＰＧＡ）として提供され得る。
【０１４６】
詳細には、処理回路３１０は、上記で開示されたように、端末デバイス３００ａに、動作またはステップのセットを実施させるように設定される。たとえば、記憶媒体３３０は動作のセットを記憶し得、処理回路３１０は、端末デバイス３００ａに動作のセットを実施させるために、記憶媒体３３０から動作のセットを取り出すように設定され得る。動作のセットは、実行可能な命令のセットとして提供され得る。したがって、それにより、処理回路３１０は、本明細書で開示される方法を実行するように構成される。
【０１４７】
記憶媒体３３０はまた、たとえば、磁気メモリ、光メモリ、固体メモリ、さらにはリモートに搭載されるメモリのうちのいずれか単独の１つまたは組合せであり得る、永続記憶装置を備え得る。
【０１４８】
端末デバイス３００ａは、通信ネットワーク１００のエンティティ、機能、ノード、およびデバイスとの通信のための通信インターフェース３２０をさらに備え得る。したがって、通信インターフェース３２０は、アナログおよびデジタル構成要素を備える１つまたは複数の送信機および受信機を備え得る。
【０１４９】
処理回路３１０は、たとえば、データおよび制御信号を通信インターフェース３２０および記憶媒体３３０に送ることによって、データおよび報告を通信インターフェース３２０から受信することによって、ならびにデータおよび命令を記憶媒体３３０から取り出すことによって、端末デバイス３００ａの全般の動作を制御する。端末デバイス３００ａの他の構成要素、ならびに関係する機能は、本明細書で提示される概念を不明瞭にしないために省略される。
【０１５０】
図１１は、いくつかの機能モジュールに関して、一実施形態による端末デバイス３００ａの構成要素を概略的に示す。図１１の端末デバイス３００ａは、いくつかの機能モジュール、すなわち、ステップＳ２０４を実施するように設定されたビーム管理モジュール３１０ｂと、ステップＳ２０６を実施するように設定された識別モジュール３１０ｃと、ステップＳ２０８を実施するように設定された識別モジュール３１０ｆと、ステップＳ２１０を実施するように設定された識別モジュール３１０ｈとを備える。図１１の端末デバイス３００ａは、ステップＳ２０２を実施するように設定された取得モジュール３１０ａ、ステップＳ２０６ａを実施するように設定された受信モジュール３１０ｄ、ステップＳ２０６ｂを実施するように設定された送信モジュール３１０ｅ、ステップＳ２０８を実施するように設定された受信モジュール３１０ｇ、ステップＳ２１０ａを実施するように設定された受信モジュール３１０ｉ、およびステップＳ２１０ｂを実施するように設定された送信モジュール３１０ｊのうちのいずれかなど、いくつかの随意の機能モジュールをさらに備え得る。
【０１５１】
一般論として、各機能モジュール３１０ａ〜３１０ｊは、ハードウェアでまたはソフトウェアで実装され得る。好ましくは、１つまたは複数のまたはすべての機能モジュール３１０ａ〜３１０ｊが、処理回路３１０によって、場合によっては通信インターフェース３２０および／または記憶媒体３３０と協働して実装され得る。処理回路３１０は、したがって、機能モジュール３１０ａ〜３１０ｊによって提供される命令を記憶媒体３３０からフェッチし、これらの命令を実行するように構成され、それにより、本明細書で開示されるように端末デバイス３００ａの任意のステップを実施し得る。
【０１５２】
図１２は、コンピュータ可読手段１２３０を備えるコンピュータプログラム製品１２１０ａ、１２１０ｂの一例を示す。このコンピュータ可読手段１２３０上に、コンピュータプログラム１２２０ａが記憶され得、そのコンピュータプログラム１２２０ａは、処理回路２１０に、ならびに通信インターフェース２２０および記憶媒体２３０など、処理回路２１０に動作可能に結合されたエンティティおよびデバイスに、本明細書で説明される実施形態による方法を実行させることができる。したがって、コンピュータプログラム１２２０ａおよび／またはコンピュータプログラム製品１２１０ａは、本明細書で開示される、ネットワークノード２００の任意のステップを実施するための手段を提供し得る。このコンピュータ可読手段１２３０上に、コンピュータプログラム１２２０ｂが記憶され得、そのコンピュータプログラム１２２０ｂは、処理回路３１０に、ならびに通信インターフェース３２０および記憶媒体３３０など、処理回路３１０に動作可能に結合されたエンティティおよびデバイスに、本明細書で説明される実施形態による方法を実行させることができる。したがって、コンピュータプログラム１２２０ｂおよび／またはコンピュータプログラム製品１２１０ｂは、本明細書で開示される、端末デバイス３００ａの任意のステップを実施するための手段を提供し得る。
【０１５３】
図１２の例では、コンピュータプログラム製品１２１０ａ、１２１０ｂは、ＣＤ（コンパクトディスク）またはＤＶＤ（デジタル多用途ディスク）、またはブルーレイディスクなどの光学ディスクとして示されている。コンピュータプログラム製品１２１０ａ、１２１０ｂはまた、ランダムアクセスメモリ（ＲＡＭ）、読取り専用メモリ（ＲＯＭ）、消去可能プログラマブル読取り専用メモリ（ＥＰＲＯＭ）または電気的消去可能プログラマブル読取り専用メモリ（ＥＥＰＲＯＭ）など、メモリとして、より詳細には、ＵＳＢ（ユニバーサルシリアルバス）メモリ、またはコンパクトフラッシュメモリなどのフラッシュメモリなど、外部メモリにおけるデバイスの不揮発性記憶媒体として具現化され得る。したがって、コンピュータプログラム１２２０ａ、１２２０ｂは、ここでは、示された光学ディスク上のトラックとして概略的に示されているが、コンピュータプログラム１２２０ａ、１２２０ｂは、コンピュータプログラム製品１２１０ａ、１２１０ｂに好適な任意のやり方で記憶され得る。
【０１５４】
本発明の概念が、主に数個の実施形態を参照しながら上記で説明された。しかしながら、当業者によって直ちに諒解されるように、上記で開示された実施形態以外の他の実施形態が、添付の特許請求の範囲によって規定される本発明の概念の範囲内で等しく可能である。
【図１】
2021522762.tif 000003
【図２】
2021522762.tif 000004
【図３】
2021522762.tif 000005
【図４】
2021522762.tif 000006
【図５】
2021522762.tif 000007
【図６】
2021522762.tif 000008
【図７ａ】
2021522762.tif 000009
【図７ｂ】
2021522762.tif 000010
【図８】
2021522762.tif 000011
【図９】
2021522762.tif 000012
【図１０】
2021522762.tif 000013
【図１１】
2021522762.tif 000014
【図１２】
2021522762.tif 000015
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
ビーム管理のための方法であって、前記方法がネットワークノード（２００）によって実施され、前記方法が、
前記ネットワークノード（２００）によってサーブされる端末デバイス（３００ａ〜３００ｆ）のためのビーム管理プロシージャを実施すること（Ｓ１０４）を含み、前記ビーム管理プロシージャを実施することは、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１０６）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信すること（Ｓ１０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１１０）と
を含み、
ビームの前記第１のセット（１４０ａ、１４０ｂ、１４０ｃ）中の各それぞれのビーム（１４０ｂ）について、対応する１つの第３のセットのビーム（１４０ｂ−ａ、１４０ｂ−ｂ、１４０ｂ−ｃ）があり、前記ビーム管理プロシージャの前記第３の部分が、第３のセットのビームの各それぞれ（１４０ｂ−ａ、１４０ｂ−ｂ、１４０ｂ−ｃ）について実施され、前記第２の部分が、前記第３の部分の前に、少なくとも、前記第３のセットのビームのそれぞれ（１４０ｂ−ａ、１４０ｂ−ｂ、１４０ｂ−ｃ）のうちの１つについて実施される、方法。
【請求項２】
前記ビーム管理プロシージャの前記第１の部分が、
前記ネットワークノード（２００）によってサーブされる端末デバイス（３００ａ〜３００ｆ）のほうへ、ビームの前記第１のセット（１４０ａ、１４０ｂ、１４０ｃ）中の各ビーム中で前記参照信号の１つの発生を送信すること（Ｓ１０６ａ）と、
前記端末デバイス（３００ａ〜３００ｆ）の各々から、そのそれぞれの端末デバイス（３００ａ〜３００ｆ）において最も高い受信電力で受信された、ビームの前記第１のセット（１４０ａ、１４０ｂ、１４０ｃ）中の少なくともそのビームを識別する対応する第１の報告を受信すること（Ｓ１０６ｂ）と
を含む、請求項１に記載の方法。
【請求項３】
前記ビーム管理プロシージャの前記第２の部分の各発生が、
それについての少なくとも１つの第１の報告が受信されたビームの前記第１のセット（１４０ａ、１４０ｂ、１４０ｃ）中のそれらのビームのうちの１つ中で、前記参照信号の設定された数の発生を送信すること（Ｓ１０８ａ）
を含む、請求項２に記載の方法。
【請求項４】
前記ビーム管理プロシージャの前記第２の部分の１つの発生は、それについての少なくとも１つの第１の報告が受信された、ビームの前記第１のセット（１４０ａ、１４０ｂ、１４０ｃ）中のビームごとに実施され、前記ビーム管理プロシージャの前記第２の部分の各発生は、ビームの前記第１のセット（１４０ａ、１４０ｂ、１４０ｃ）中の同じビームが最も高い受信電力で受信された、前記端末デバイス（３００ａ〜３００ｆ）のうちのすべてのそれらについて実施される、請求項３に記載の方法。
【請求項５】
ビームの前記第１のセット（１４０ａ、１４０ｂ、１４０ｃ）中の前記ビームに関して、前記ビーム管理プロシージャの前記第２の部分をどの順序で実施すべきかは、前記端末デバイス（３００ａ〜３００ｆ）のうちのいくつが、最も高い受信電力で受信されるものとしてビームの前記第１のセット（１４０ａ、１４０ｂ、１４０ｃ）中の前記ビームの各々を識別したかに依存する、請求項３に記載の方法。
【請求項６】
前記ビーム管理プロシージャの前記第３の部分の各発生が、
前記対応する第１の報告中で識別されているビームの前記第１のセット（１４０ａ、１４０ｂ、１４０ｃ）中のそれらのビームのうちの１つによってカバーされるそのそれぞれの第３のセットのビーム（１４０ｂ−ａ、１４０ｂ−ｂ、１４０ｂ−ｃ）中の各ビーム中で、前記参照信号の１つの発生を送信すること（Ｓ１１０ａ）と、
ビームの前記第３のセット（１４０ｂ−ａ、１４０ｂ−ｂ、１４０ｂ−ｃ）中の前記ビームのうちの少なくとも１つ中で前記参照信号を受信した前記端末デバイス（３００ａ〜３００ｆ）の各々から、そのそれぞれの端末デバイス（３００ａ〜３００ｆ）において最も高い受信電力で受信された、ビームの前記第３のセット（１４０ｂ−ａ、１４０ｂ−ｂ、１４０ｂ−ｃ）中の少なくともそのビームを識別する対応する第２の報告を受信すること（Ｓ１１０ｂ）と
を含む、請求項３に記載の方法。
【請求項７】
前記ビーム管理プロシージャの前記第３の部分の１つの発生が、ビームの第３のセット（１４０ａ、１４０ｂ、１４０ｃ）ごとに実施され、前記ビーム管理プロシージャの前記第３の部分の各発生は、ビームの前記第１のセット（１４０ａ、１４０ｂ、１４０ｃ）中の同じビームが最も高い受信電力で受信された、前記端末デバイス（３００ａ〜３００ｆ）のうちのすべてのそれらについて実施される、請求項６に記載の方法。
【請求項８】
前記ビーム管理プロシージャは、前記ビーム管理プロシージャの前記第３の部分の何らかの発生が実施される前に前記ビーム管理プロシージャの前記第２の部分のすべての発生が実施されるような第１の設定に従って実施される、請求項１から７のいずれか一項に記載の方法。
【請求項９】
前記ビーム管理プロシージャは、前記ビーム管理プロシージャの前記第２の部分の各発生の後に、前記ビーム管理プロシージャの前記第３の部分の１つの発生が続くような第２の設定に従って実施される、請求項１から７のいずれか一項に記載の方法。
【請求項１０】
前記ビーム管理プロシージャを実施する前に、前記端末デバイス（３００ａ〜３００ｆ）に、前記ビーム管理プロシージャに関する情報を提供すること（Ｓ１０２）
をさらに含む、請求項１から９のいずれか一項に記載の方法。
【請求項１１】
ビーム管理プロシージャに参加するための方法であって、前記方法が端末デバイス（３００ａ〜３００ｆ）によって実施され、前記方法が、
前記端末デバイス（３００ａ〜３００ｆ）をサーブするネットワークノード（２００）によるビーム管理プロシージャに参加すること（Ｓ２０４）を含み、前記ビーム管理プロシージャに参加することは、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別すること（Ｓ２０６）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別すること（Ｓ２０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力で受信されるかを識別すること（Ｓ２１０）であって、前記参照信号が、前記ビーム管理プロシージャの前記第２の部分中に識別された前記ビームを使用して受信される、識別すること（Ｓ２１０）と
を含む、方法。
【請求項１２】
前記ビーム管理プロシージャに参加する前に、前記ネットワークノード（２００）から、前記ビーム管理プロシージャに関する情報を取得すること（Ｓ２０２）
をさらに含む、請求項１１に記載の方法。
【請求項１３】
前記ビーム管理プロシージャの前記第１の部分が、
前記ネットワークノード（２００）から、ビームの前記第１のセット（１４０ａ、１４０ｂ、１４０ｃ）中の前記ビームのうちの少なくとも１つ中で前記参照信号の１つの発生を受信すること（Ｓ２０６ａ）と、
前記ネットワークノード（２００）に、前記端末デバイス（３００ａ〜３００ｆ）において最も高い受信電力で受信された、ビームの前記第１のセット（１４０ａ、１４０ｂ、１４０ｃ）中の少なくともそのビームを識別する第１の報告を送信すること（Ｓ２０６ｂ）と
を含む、請求項１１または１２に記載の方法。
【請求項１４】
前記ビーム管理プロシージャの前記第２の部分は、
前記第１の報告中で識別されたビームの前記第１のセット（１４０ａ、１４０ｂ、１４０ｃ）中のそれらのビーム中で前記ネットワークノード（２００）によって送信される、前記参照信号の設定された数の発生を受信すること（Ｓ２０８ａ）であって、１つの発生が、前記端末デバイス（３００ａ〜３００ｆ）によって、ビームの前記第２のセット（１５０ａ、１５０ｂ、１５０ｃ）中の対応する１つのビーム中で受信される、前記参照信号の設定された数の発生を受信すること（Ｓ２０８ａ）
を含む、請求項１３に記載の方法。
【請求項１５】
前記ビーム管理プロシージャの前記第３の部分が、
前記ネットワークノード（２００）から、前記第１の報告中で識別されているビームの前記第１のセット（１４０ａ、１４０ｂ、１４０ｃ）中のそれらのビームのうちの１つによってカバーされるそのそれぞれの第３のセットのビーム（１４０ｂ−ａ、１４０ｂ−ｂ、１４０ｂ−ｃ）中の前記ビームのうちの少なくとも１つ中で前記参照信号の１つの発生を受信すること（Ｓ２１０ａ）と、
前記ネットワークノード（２００）に、前記端末デバイス（３００ａ〜３００ｆ）において最も高い受信電力で受信された、ビームの前記第３のセット（１４０ｂ−ａ、１４０ｂ−ｂ、１４０ｂ−ｃ）中の少なくともそのビームを識別する第２の報告を送信すること（Ｓ２１０ｂ）と
を含む、請求項１４に記載の方法。
【請求項１６】
ビーム管理のためのネットワークノード（２００）であって、前記ネットワークノード（２００）は、
前記ネットワークノード（２００）によってサーブされる端末デバイス（３００ａ〜３００ｆ）のためのビーム管理プロシージャを実施するように設定されたビーム管理モジュール（２１０ｂ）と、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信するように設定された送信モジュール（２１０ｃ）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信するように設定された送信モジュール（２１０ｆ）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信するように設定された送信モジュール（２１０ｈ）と
を備え、
ビームの前記第１のセット（１４０ａ、１４０ｂ、１４０ｃ）中の各それぞれのビーム（１４０ｂ）について、対応する１つの第３のセットのビーム（１４０ｂ−ａ、１４０ｂ−ｂ、１４０ｂ−ｃ）があり、前記ビーム管理プロシージャの前記第３の部分が、第３のセットのビームの各それぞれ（１４０ｂ−ａ、１４０ｂ−ｂ、１４０ｂ−ｃ）について実施され、前記第２の部分が、前記第３の部分の前に、少なくとも、前記第３のセットのビームのそれぞれ（１４０ｂ−ａ、１４０ｂ−ｂ、１４０ｂ−ｃ）のうちの１つについて実施される、ネットワークノード（２００）。
【請求項１７】
請求項２から１０のいずれか一項に記載の方法を実施するようにさらに設定された、請求項１６に記載のネットワークノード（２００）。
【請求項１８】
ビーム管理プロシージャに参加するための端末デバイス（３００ａ）であって、前記端末デバイス（３００ａ）は、
前記端末デバイス（３００ａ〜３００ｆ）をサーブするネットワークノード（２００）によるビーム管理プロシージャに参加するように設定されたビーム管理モジュール（３１０ｂ）と、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別するように設定された識別モジュール（３１０ｃ）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別するように設定された識別モジュール（３１０ｆ）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力で受信されるかを識別することであって、前記参照信号が、前記ビーム管理プロシージャの前記第２の部分中に識別された前記ビームを使用して受信される、識別することを行うように設定された識別モジュール（３１０ｈ）と
を備える、端末デバイス（３００ａ）
【請求項１９】
請求項１２から１５のいずれか一項に記載の方法を実施するようにさらに設定された、請求項１８に記載の端末デバイス（３００ａ）。
【請求項２０】
ビーム管理のためのコンピュータプログラム（１２２０ａ）であって、前記コンピュータプログラムは、ネットワークノード（２００）の処理回路（２１０）上で起動するとき、前記ネットワークノード（２００）に、
前記ネットワークノード（２００）によってサーブされる端末デバイス（３００ａ〜３００ｆ）のためのビーム管理プロシージャを実施すること（Ｓ１０４）
を行わせるコンピュータコードを備え、前記管理プロシージャを実施することは、前記ネットワークノード（２００）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１０６）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信すること（Ｓ１０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１１０）と
を行うように設定されることを含み、
ビームの前記第１のセット（１４０ａ、１４０ｂ、１４０ｃ）中の各それぞれのビーム（１４０ｂ）について、対応する１つの第３のセットのビーム（１４０ｂ−ａ、１４０ｂ−ｂ、１４０ｂ−ｃ）があり、前記ビーム管理プロシージャの前記第３の部分が、第３のセットのビームの各それぞれ（１４０ｂ−ａ、１４０ｂ−ｂ、１４０ｂ−ｃ）について実施され、前記第２の部分が、前記第３の部分の前に、少なくとも、前記第３のセットのビームのそれぞれ（１４０ｂ−ａ、１４０ｂ−ｂ、１４０ｂ−ｃ）のうちの１つについて実施される、コンピュータプログラム（１２２０ａ）。
【請求項２１】
ビーム管理プロシージャに参加するためのコンピュータプログラム（１２２０ｂ）であって、前記コンピュータプログラムが、端末デバイス（３００ａ）の処理回路（３１０）上で起動するとき、前記端末デバイス（３００ａ）に、
前記端末デバイス（３００ａ〜３００ｆ）をサーブするネットワークノード（２００）によるビーム管理プロシージャに参加すること（Ｓ２０４）
を行わせるコンピュータコードを備え、前記ビーム管理プロシージャに参加することは、前記端末デバイス（３００ａ）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別すること（Ｓ２０６）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別すること（Ｓ２０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力で受信されるかを識別すること（Ｓ２１０）であって、前記参照信号が、前記ビーム管理プロシージャの前記第２の部分中に識別された前記ビームを使用して受信される、識別すること（Ｓ２１０）と
を行うように設定されることを含む、
コンピュータプログラム（１２２０ｂ）。
【請求項２２】
請求項２０または２１に記載のコンピュータプログラム（１２２０ａ、１２２０ｂ）が記憶されるコンピュータ可読記憶媒体（１２３０）。
【手続補正２】
【補正対象書類名】明細書
【補正対象項目名】０１５４
【補正方法】変更
【補正の内容】
【０１５４】
本発明は以下に記載する態様を含む。
（態様１）
ビーム管理のための方法であって、前記方法がネットワークノード（２００）によって実施され、前記方法が、
前記ネットワークノード（２００）によってサーブされる端末デバイス（３００ａ〜３００ｆ）のためのビーム管理プロシージャを実施すること（Ｓ１０４）を含み、前記ビーム管理プロシージャを実施することは、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１０６）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信すること（Ｓ１０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１１０）と
を含み、
ビームの前記第１のセット（１４０ａ、１４０ｂ、１４０ｃ）中の各それぞれのビーム（１４０ｂ）について、対応する１つの第３のセットのビーム（１４０ｂ−ａ、１４０ｂ−ｂ、１４０ｂ−ｃ）があり、前記ビーム管理プロシージャの前記第３の部分が、第３のセットのビームの各それぞれ（１４０ｂ−ａ、１４０ｂ−ｂ、１４０ｂ−ｃ）について実施され、前記第２の部分が、前記第３の部分の前に、少なくとも、前記第３のセットのビームのそれぞれ（１４０ｂ−ａ、１４０ｂ−ｂ、１４０ｂ−ｃ）のうちの１つについて実施される、方法。
（態様２）
前記ビーム管理プロシージャの前記第１の部分が、
前記ネットワークノード（２００）によってサーブされる端末デバイス（３００ａ〜３００ｆ）のほうへ、ビームの前記第１のセット（１４０ａ、１４０ｂ、１４０ｃ）中の各ビーム中で前記参照信号の１つの発生を送信すること（Ｓ１０６ａ）と、
前記端末デバイス（３００ａ〜３００ｆ）の各々から、そのそれぞれの端末デバイス（３００ａ〜３００ｆ）において最も高い受信電力で受信された、ビームの前記第１のセット（１４０ａ、１４０ｂ、１４０ｃ）中の少なくともそのビームを識別するそれぞれの第１の報告を受信すること（Ｓ１０６ｂ）と
を含む、態様１に記載の方法。
（態様３）
前記ビーム管理プロシージャの前記第２の部分の各発生が、
それについての少なくとも１つの第１の報告が受信されたビームの前記第１のセット（１４０ａ、１４０ｂ、１４０ｃ）中のそれらのビームのうちの１つ中で、前記参照信号の設定された数の発生を送信すること（Ｓ１０８ａ）
を含む、態様２に記載の方法。
（態様４）
前記ビーム管理プロシージャの前記第２の部分の１つの発生は、それについての少なくとも１つの第１の報告が受信された、ビームの前記第１のセット（１４０ａ、１４０ｂ、１４０ｃ）中のビームごとに実施され、前記ビーム管理プロシージャの前記第２の部分の各発生は、ビームの前記第１のセット（１４０ａ、１４０ｂ、１４０ｃ）中の同じビームが最も高い受信電力で受信された、前記端末デバイス（３００ａ〜３００ｆ）のうちのすべてのそれらについて実施される、態様３に記載の方法。
（態様５）
発生の前記設定された数が、ビームの前記第２のセット（１５０ａ、１５０ｂ、１５０ｃ）中のビームの数によって規定される、態様３に記載の方法。
（態様６）
ビームの前記第１のセット（１４０ａ、１４０ｂ、１４０ｃ）中の前記ビームに関して、前記ビーム管理プロシージャの前記第２の部分をどの順序で実施すべきかは、前記端末デバイス（３００ａ〜３００ｆ）のうちのいくつが、最も高い受信電力で受信されるものとしてビームの前記第１のセット（１４０ａ、１４０ｂ、１４０ｃ）中の前記ビームの各々を識別したかに依存する、態様３に記載の方法。
（態様７）
前記ビーム管理プロシージャの前記第３の部分の各発生が、
前記それぞれの第１の報告中で識別されているビームの前記第１のセット（１４０ａ、１４０ｂ、１４０ｃ）中のそれらのビームのうちの１つによってカバーされるそのそれぞれの第３のセットのビーム（１４０ｂ−ａ、１４０ｂ−ｂ、１４０ｂ−ｃ）中の各ビーム中で、前記参照信号の１つの発生を送信すること（Ｓ１１０ａ）と、
ビームの前記第３のセット（１４０ｂ−ａ、１４０ｂ−ｂ、１４０ｂ−ｃ）中の前記ビームのうちの少なくとも１つ中で前記参照信号を受信した前記端末デバイス（３００ａ〜３００ｆ）の各々から、そのそれぞれの端末デバイス（３００ａ〜３００ｆ）において最も高い受信電力で受信された、ビームの前記第３のセット（１４０ｂ−ａ、１４０ｂ−ｂ、１４０ｂ−ｃ）中の少なくともそのビームを識別するそれぞれの第２の報告を受信すること（Ｓ１１０ｂ）と
を含む、態様３に記載の方法。
（態様８）
前記ビーム管理プロシージャの前記第３の部分の１つの発生が、ビームの第３のセット（１４０ａ、１４０ｂ、１４０ｃ）ごとに実施され、前記ビーム管理プロシージャの前記第３の部分の各発生は、ビームの前記第１のセット（１４０ａ、１４０ｂ、１４０ｃ）中の同じビームが最も高い受信電力で受信された、前記端末デバイス（３００ａ〜３００ｆ）のうちのすべてのそれらについて実施される、態様７に記載の方法。
（態様９）
前記ビーム管理プロシージャは、前記ビーム管理プロシージャの前記第３の部分の何らかの発生が実施される前に前記ビーム管理プロシージャの前記第２の部分のすべての発生が実施されるような第１の設定に従って実施される、態様１から８のいずれか一項に記載の方法。
（態様１０）
前記ビーム管理プロシージャは、前記ビーム管理プロシージャの前記第２の部分の各発生の後に、前記ビーム管理プロシージャの前記第３の部分の１つの発生が続くような第２の設定に従って実施される、態様１から８のいずれか一項に記載の方法。
（態様１１）
前記ビーム管理プロシージャを前記第１の設定に従って実施すべきなのか、前記第２の設定に従って実施すべきなのかが、仕様に従って決定される、態様９および１０に記載の方法。
（態様１２）
前記ビーム管理プロシージャを実施する前に、前記端末デバイス（３００ａ〜３００ｆ）に、前記ビーム管理プロシージャに関する情報を提供すること（Ｓ１０２）
をさらに含む、態様１から１１のいずれか一項に記載の方法。
（態様１３）
前記参照信号がチャネル状態情報参照信号（ＣＳＩ−ＲＳ）である、態様１から１２のいずれか一項に記載の方法。
（態様１４）
ビーム管理プロシージャに参加するための方法であって、前記方法が端末デバイス（３００ａ〜３００ｆ）によって実施され、前記方法が、
前記端末デバイス（３００ａ〜３００ｆ）をサーブするネットワークノード（２００）によるビーム管理プロシージャに参加すること（Ｓ２０４）を含み、前記ビーム管理プロシージャに参加することは、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別すること（Ｓ２０６）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別すること（Ｓ２０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力でその前記参照信号、識別すること（Ｓ２１０）であって、前記参照信号が、前記ビーム管理プロシージャの前記第２の部分中に識別された前記ビームを使用して受信される、識別すること（Ｓ２１０）と
を含む、方法。
（態様１５）
前記ビーム管理プロシージャに参加する前に、前記ネットワークノード（２００）から、前記ビーム管理プロシージャに関する情報を取得すること（Ｓ２０２）
をさらに含む、態様１４に記載の方法。
（態様１６）
前記ビーム管理プロシージャの前記第１の部分が、
前記ネットワークノード（２００）から、ビームの前記第１のセット（１４０ａ、１４０ｂ、１４０ｃ）中の前記ビームのうちの少なくとも１つ中で前記参照信号の１つの発生を受信すること（Ｓ２０６ａ）と、
前記ネットワークノード（２００）に、前記端末デバイス（３００ａ〜３００ｆ）において最も高い受信電力で受信された、ビームの前記第１のセット（１４０ａ、１４０ｂ、１４０ｃ）中の少なくともそのビームを識別する第１の報告を送信すること（Ｓ２０６ｂ）と
を含む、態様１４または１５に記載の方法。
（態様１７）
前記ビーム管理プロシージャの前記第２の部分は、
前記第１の報告中で識別されたビームの前記第１のセット（１４０ａ、１４０ｂ、１４０ｃ）中のそれらのビーム中で前記ネットワークノード（２００）によって送信される、前記参照信号の設定された数の発生を受信すること（Ｓ２０８ａ）であって、１つの発生が、前記端末デバイス（３００ａ〜３００ｆ）によって、ビームの前記第２のセット（１５０ａ、１５０ｂ、１５０ｃ）中の１つのそれぞれのビーム中で受信される、前記参照信号の設定された数の発生を受信すること（Ｓ２０８ａ）
を含む、態様１６に記載の方法。
（態様１８）
前記ビーム管理プロシージャの前記第３の部分が、
前記ネットワークノード（２００）から、前記第１の報告中で識別されているビームの前記第１のセット（１４０ａ、１４０ｂ、１４０ｃ）中のそれらのビームのうちの１つによってカバーされるそのそれぞれの第３のセットのビーム（１４０ｂ−ａ、１４０ｂ−ｂ、１４０ｂ−ｃ）中の前記ビームのうちの少なくとも１つ中で前記参照信号の１つの発生を受信すること（Ｓ２１０ａ）と、
前記ネットワークノード（２００）に、前記端末デバイス（３００ａ〜３００ｆ）において最も高い受信電力で受信された、ビームの前記第３のセット（１４０ｂ−ａ、１４０ｂ−ｂ、１４０ｂ−ｃ）中の少なくともそのビームを識別する第２の報告を送信すること（Ｓ２１０ｂ）と
を含む、態様１７に記載の方法。
（態様１９）
前記参照信号がチャネル状態情報参照信号（ＣＳＩ−ＲＳ）である、態様１４から１８のいずれか一項に記載の方法。
（態様２０）
ビーム管理のためのネットワークノード（２００）であって、前記ネットワークノード（２００）が、処理回路（２１０）を備え、前記処理回路が、前記ネットワークノード（２００）に、
前記ネットワークノード（２００）によってサーブされる端末デバイス（３００ａ〜３００ｆ）のためのビーム管理プロシージャを実施すること
を行わせるように設定され、前記管理プロシージャを実施することは、前記ネットワークノード（２００）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信することと、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信することと、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信することと
を行うように設定されることを含み、
ビームの前記第１のセット（１４０ａ、１４０ｂ、１４０ｃ）中の各それぞれのビーム（１４０ｂ）について、対応する１つの第３のセットのビーム（１４０ｂ−ａ、１４０ｂ−ｂ、１４０ｂ−ｃ）があり、前記ビーム管理プロシージャの前記第３の部分が、第３のセットのビームの各それぞれ（１４０ｂ−ａ、１４０ｂ−ｂ、１４０ｂ−ｃ）について実施され、前記第２の部分が、前記第３の部分の前に、少なくとも、前記第３のセットのビームのそれぞれ（１４０ｂ−ａ、１４０ｂ−ｂ、１４０ｂ−ｃ）のうちの１つについて実施される、ネットワークノード（２００）。
（態様２１）
ビーム管理のためのネットワークノード（２００）であって、前記ネットワークノード（２００）は、
前記ネットワークノード（２００）によってサーブされる端末デバイス（３００ａ〜３００ｆ）のためのビーム管理プロシージャを実施するように設定されたビーム管理モジュール（２１０ｂ）と、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信するように設定された送信モジュール（２１０ｃ）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信するように設定された送信モジュール（２１０ｆ）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信するように設定された送信モジュール（２１０ｈ）と
を備え、
ビームの前記第１のセット（１４０ａ、１４０ｂ、１４０ｃ）中の各それぞれのビーム（１４０ｂ）について、対応する１つの第３のセットのビーム（１４０ｂ−ａ、１４０ｂ−ｂ、１４０ｂ−ｃ）があり、前記ビーム管理プロシージャの前記第３の部分が、第３のセットビームの各それぞれ（１４０ｂ−ａ、１４０ｂ−ｂ、１４０ｂ−ｃ）について実施され、前記第２の部分が、前記第３の部分の前に、少なくとも、前記第３のセットのビームのそれぞれ（１４０ｂ−ａ、１４０ｂ−ｂ、１４０ｂ−ｃ）のうちの１つについて実施される、ネットワークノード（２００）。
（態様２２）
態様２から１３のいずれか一項に記載の方法を実施するようにさらに設定された、態様２０または２１に記載のネットワークノード（２００）。
（態様２３）
ビーム管理プロシージャに参加するための端末デバイス（３００ａ）であって、前記端末デバイス（３００ａ）が、処理回路（３１０）を備え、前記処理回路が、前記端末デバイス（３００ａ）に、
前記端末デバイス（３００ａ〜３００ｆ）をサーブするネットワークノード（２００）によるビーム管理プロシージャに参加することを行わせるように設定され、前記ビーム管理プロシージャに参加することは、前記端末デバイス（３００ａ）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別することと、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別することと、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力でその前記参照信号、識別することであって、前記参照信号が、前記ビーム管理プロシージャの前記第２の部分中に識別された前記ビームを使用して受信される、識別することと
を行うように設定されることを含む、
端末デバイス（３００ａ）
（態様２４）
ビーム管理プロシージャに参加するための端末デバイス（３００ａ）であって、前記端末デバイス（３００ａ）は、
前記端末デバイス（３００ａ〜３００ｆ）をサーブするネットワークノード（２００）によるビーム管理プロシージャに参加するように設定されたビーム管理モジュール（３１０ｂ）と、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別するように設定された識別モジュール（３１０ｃ）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別するように設定された識別モジュール（３１０ｆ）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力でその前記参照信号、識別することであって、前記参照信号が、前記ビーム管理プロシージャの前記第２の部分中に識別された前記ビームを使用して受信される、識別することを行うように設定された識別モジュール（３１０ｈ）と
を備える、端末デバイス（３００ａ）
（態様２５）
態様１５から１９のいずれか一項に記載の方法を実施するようにさらに設定された、態様２３または２４に記載の端末デバイス（３００ａ）。
（態様２６）
ビーム管理のためのコンピュータプログラム（１２２０ａ）であって、前記コンピュータプログラムは、ネットワークノード（２００）の処理回路（２１０）上で起動するとき、前記ネットワークノード（２００）に、
前記ネットワークノード（２００）によってサーブされる端末デバイス（３００ａ〜３００ｆ）のためのビーム管理プロシージャを実施すること（Ｓ１０４）
を行わせるコンピュータコードを備え、前記管理プロシージャを実施することは、前記ネットワークノード（２００）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビーム中で前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１０６）と、
前記ビーム管理プロシージャの第２の部分中に、前記端末デバイス（３００ａ〜３００ｆ）によって前記ネットワークノード（２００）からの前記参照信号がその中で受信される、ビームの第２のセット（１５０ａ、１５０ｂ、１５０ｃ）中のどのビーム中で前記参照信号が最も高い受信電力で受信されるかを前記端末デバイス（３００ａ〜３００ｆ）の各々が識別することを可能にするように前記参照信号を送信すること（Ｓ１０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームの場合に前記参照信号が最も高い受信電力で受信されるかを前記ビーム管理プロシージャに参加している前記端末デバイス（３００ａ〜３００ｆ）の各々が識別することを可能にするように前記参照信号を送信すること（Ｓ１１０）と
を行うように設定されることを含み、
ビームの前記第１のセット（１４０ａ、１４０ｂ、１４０ｃ）中の各それぞれのビーム（１４０ｂ）について、対応する１つの第３のセットのビーム（１４０ｂ−ａ、１４０ｂ−ｂ、１４０ｂ−ｃ）があり、前記ビーム管理プロシージャの前記第３の部分が、第３のセットのビームの各それぞれ（１４０ｂ−ａ、１４０ｂ−ｂ、１４０ｂ−ｃ）について実施され、前記第２の部分が、前記第３の部分の前に、少なくとも、前記第３のセットのビームのそれぞれ（１４０ｂ−ａ、１４０ｂ−ｂ、１４０ｂ−ｃ）のうちの１つについて実施される、コンピュータプログラム（１２２０ａ）。
（態様２７）
ビーム管理プロシージャに参加するためのコンピュータプログラム（１２２０ｂ）であって、前記コンピュータプログラムが、端末デバイス（３００ａ）の処理回路（３１０）上で起動するとき、前記端末デバイス（３００ａ）に、
前記端末デバイス（３００ａ〜３００ｆ）をサーブするネットワークノード（２００）によるビーム管理プロシージャに参加すること（Ｓ２０４）
を行わせるコンピュータコードを備え、前記ビーム管理プロシージャに参加することは、前記端末デバイス（３００ａ）が、
前記ビーム管理プロシージャの第１の部分中に、前記ネットワークノード（２００）から参照信号がその中で送信される、ビームの第１のセット（１４０ａ、１４０ｂ、１４０ｃ）中のどのビームが最も高い受信電力で受信されるかを識別すること（Ｓ２０６）と、
前記ビーム管理プロシージャの第２の部分中に、前記ネットワークノード（２００）から前記参照信号がその中で受信される、ビームの第２のセット（１５０ａ、１５０ｂ、１５０ｃ）中のどのビームが最も高い受信電力で受信されるかを識別すること（Ｓ２０８）と、
前記ビーム管理プロシージャの第３の部分中に、前記ネットワークノード（２００）から前記参照信号がその中で送信される、ビームの第３のセット（１４０ｂ−ａ、１４０ｂ−ｂ、１４０ｂ−ｃ）中のどのビームが最も高い受信電力でその前記参照信号、識別すること（Ｓ２１０）であって、前記参照信号が、前記ビーム管理プロシージャの前記第２の部分中に識別された前記ビームを使用して受信される、識別すること（Ｓ２１０）と
を行うように設定されることを含む、
コンピュータプログラム（１２２０ｂ）。
（態様２８）
態様２６および２７のうちの少なくとも一項に記載のコンピュータプログラム（１２２０ａ、１２２０ｂ）と、前記コンピュータプログラムが記憶されるコンピュータ可読記憶媒体（１２３０）とを備えるコンピュータプログラム製品（１２１０ａ、１２１０ｂ）。
本発明の概念が、主に数個の実施形態を参照しながら上記で説明された。しかしながら、当業者によって直ちに諒解されるように、上記で開示された実施形態以外の他の実施形態が、添付の特許請求の範囲によって規定される本発明の概念の範囲内で等しく可能である。
【国際調査報告】
2021522762.tif 000016
2021522762.tif 000017
2021522762.tif 000018